(57)【要約】居住環境（例えば、ホテル又はモーテルの客室、スパ、リゾート、巡航船の船室、オフィス、病院、及び／又は家屋、アパートメント、又は住宅）の環境特性が、環境によって与えられる「ウェルネス」又は「幸福」感を向上させるべく、不都合又は有害な態様を削減、軽減、又は改良し、有益な態様を導入、増大、又は向上させるために制御される。受動照明及び能動照明の強度及び波長の分布を制御することは、例えば、日周リズム又は周期を維持、「時差ぼけ」や季節性情動障害を調整するなど、様々な問題、症状、又は症候に対処する。空気の質及び属性が制御される。香りが拡散されうる。低刺激性物品（例えば、寝具、リネン類）が使用されうる。水品質が制御される。騒音が軽減され、音（例えば、マスキング音、音楽、自然音）が提供されうる。受動的及び能動的な抗病原体制御が使用される。制御は、命令、及びウェルネスの査定を含む調査として、居住者及び／又は施設従業員に提供される。【選択図】図２
2015534701.tif 000002
【特許請求の範囲】
【請求項１】
閉鎖空間における環境特性を制御するためのシステムであって、
少なくとも１つのプロセッサと、プロセッサ読取可能命令又はデータのうちの少なくとも１つを記憶する少なくとも１つの非一時的プロセッサ読取可能媒体とを備える制御サブシステムと、
前記閉鎖空間の少なくとも一部に提供される照明の照明特性を制御するために動作可能な照明サブシステムと
を備え、前記照明サブシステムは、
複数のレベル及び複数の波長で照明を発光するために動作可能な複数の照明源と、
外部照明源から１つ以上の窓を介して閉鎖空間内に受ける照明の量を調節するために動作可能な少なくとも１つのアクチュエータと、
日周設定と少なくとも１つの打ち消し設定とを切り換えるためにユーザによって
選択的に駆動可能な、前記閉鎖空間内に配置され、かつ前記制御サブシステムに通信可能に接続された少なくとも１つのユーザ駆動型入力装置と、を備え、
前記制御サブシステムは、前記複数の照明源及び前記少なくとも１つのアクチュエータを制御するために通信可能に接続され、前記日周設定の場合、前記制御サブシステムは、前記照明源及び前記少なくとも１つのアクチュエータに一定の期間にわたり所定の日周パターンに従って照明を提供させるための信号を前記照明源及び前記少なくとも１つのアクチュエータに提供し、前記日周パターンは、一定の期間にわたり少なくとも１つの所定の緯度において自然に発生する照明の照明レベル及び色温度の変化に少なくとも概ね一致する、システム。
【請求項２】
少なくとも１つのアクチュエータは、少なくとも１つの窓におけるエレクトロクロマティックペインを含む、請求項１のシステム。
【請求項３】
少なくとも１つのアクチュエータは、少なくとも１つの窓を覆う遮光シェードを選択的に位置付けする伝動装置に物理的に連結された電気モータを備える、請求項１のシステム。
【請求項４】
前記日周パターンの夜部分において、前記制御サブシステムは、少なくとも、前記閉鎖空間のドアへの少なくとも１つの通路の付近に低レベルの照明を生じる前記照明源のサブセットへ信号を提供する、請求項１のシステム。
【請求項５】
前記少なくとも１つの打ち消し設定のうちの第１の打ち消し設定時に、前記制御サブシステムは、前記照明源及び前記少なくとも１つのアクチュエータに前記所定の日周パターンに従わない照明を提供させる信号を前記照明源及び前記少なくとも１つのアクチュエータに提供する、請求項１のシステム。
【請求項６】
前記少なくとも１つの打ち消し設定のうちの第２の打ち消し設定時に、前記制御サブシステムは、前記照明源及び前記少なくとも１つのアクチュエータに、居住者の移動に起因する日周リズムの変化を調整するために前記閉鎖空間の居住者の移動元の地理的位置に少なくとも部分的に基づいて、前記閉鎖空間に照明を提供させる信号を、前記照明源及び前記少なくとも１つのアクチュエータに提供する、請求項５のシステム。
【請求項７】
前記少なくとも１つの打ち消し設定のうちの第３の打ち消し設定時に、前記制御サブシステムは、前記照明源及び前記少なくとも１つのアクチュエータに、前記閉鎖空間の地理的位置での季節変化に起因する日周リズムの変化を調整するために時期に少なくとも部分的に基づいて閉鎖空間に照明を提供させる信号を、前記照明源及び前記少なくとも１つのアクチュエータに提供する、請求項５のシステム。
【請求項８】
前記少なくとも１つの打ち消し設定のうちの第３の打ち消し設定時に、前記制御サブシステムは、前記照明源及び前記少なくとも１つのアクチュエータに、前記閉鎖空間の居住者に治療効果をもたらすように前記閉鎖空間に照明を提供させる信号を、前記照明源及び前記少なくとも１つのアクチュエータに提供する、請求項５のシステム。
【請求項９】
前記閉鎖空間における居住者の存在を検出するために配置され、かつ前記閉鎖空間の現在の入居状態を示す信号を提供するために前記制御サブシステムに通信可能に接続された少なくとも１つのセンサを更に備える、請求項１のシステム。
【請求項１０】
前記閉鎖空間から遠隔に配置され、かつ前記制御サブシステムに通信可能に接続された、前記システムの複数の設定間で切り換えるために選択的に駆動可能な少なくとも１つのユーザ駆動型入力装置を更に備える、請求項１のシステム。
【請求項１１】
前記閉鎖空間内の空気の空気特性を制御するための空気処理サブシステムを更に備え、前記空気処理システムは、空気フィルタ、暖房装置、エアコンディショナ、加湿器、除湿器、通気孔、ファン、又はコンプレッサのうちの少なくとも１つを含み、前記空気処理システムは、前記閉鎖空間の少なくとも一部の付近で温度又は湿度を検出するために配置された温度センサ又は湿度センサのうちの少なくとも１つを備える、請求項１のシステム。
【請求項１２】
前記制御サブシステムは、前記閉鎖空間内の空気の温度又は湿度のうちの少なくとも１つを制御するために前記空気処理サブシステムの少なくとも一部に信号を提供する、請求項１１のシステム。
【請求項１３】
前記制御サブシステムは、一定の期間にわたり前記日周パターンに少なくとも部分的に基づいて前記閉鎖空間内の空気の少なくとも温度を調節する信号を提供する、請求項１２のシステム。
【請求項１４】
前記少なくとも１つの空気フィルタは、ＨＥＰＡ機械式空気フィルタ、静電気粒子空気フィルタ、又は紫外線空気殺菌剤のうちの少なくとも１つを含む、請求項１１のシステム。
【請求項１５】
前記空気処理サブシステムは、複数の貯蔵器から前記閉鎖空間内の空気に選択的に香りを添加するための複数の注入口を更に含み、前記制御サブシステムは、前記閉鎖空間内の空気への香りの添加を制御する信号を前記空気処理サブシステムの少なくとも一部に提供する、請求項１１のシステム。
【請求項１６】
前記制御サブシステムは、前記日周パターンと相互に関連する所定のスケジュールに基づいて前記閉鎖空間内の空気への香りの添加を制御する信号を前記空気処理サブシステムの少なくとも一部に提供する、請求項１１のシステム。
【請求項１７】
前記制御サブシステムは、ユーザ入力に応じてオンデマンドで前記閉鎖空間内の空気への香りの添加を制御する信号を前記空気処理サブシステムの少なくとも一部に提供する、請求項１６のシステム。
【請求項１８】
蛇口又はシャワーヘッドを介して前記閉鎖空間に供給される水を濾過する沈殿フィルタ又は活性炭フィルタを備える給水サブシステムを更に備え、前記給水サブシステムは、蛇口又はシャワーヘッドを介して前記閉鎖空間に供給される水を紫外線照明によって照明する紫外線水殺菌器を更に備える、請求項１のシステム。
【請求項１９】
前記給水システムは、蛇口又はシャワーヘッドを介して前記閉鎖空間に供給される水を紫外線照明によって照明する紫外線水殺菌器を更に備える、請求項１８のシステム。
【請求項２０】
前記給水システムは、シャワーヘッドを介して前記閉鎖空間に供給される水にビタミンＣを供給するための注入口を更に備える、請求項１８のシステム。
【請求項２１】
複数の配管部品のうちの少なくともいくつかを音響的に遮断するために配置された少なくとも一片の防音材と、
閉じた位置にある時、前記閉鎖空間を外部から音響的に遮断する少なくとも１つの音響減衰ドアと、
閉じた位置にある時、前記閉鎖空間を外部から音響的に遮断する少なくとも１つの音響減衰窓と、
前記閉鎖空間を外部から音響的に遮断する少なくとも１つの音響減衰壁部材と、
前記閉鎖空間を外部から音響的に遮断する少なくとも１つの音響減衰床部材とを備える周囲音サブシステムを更に備え、
前記閉鎖空間における周囲音レベルは、前記閉鎖空間で能動的音源が作動している時は４５ｄＢ未満である、請求項１のシステム。
【請求項２２】
前記閉鎖空間における周囲音レベルは、前記閉鎖空間で能動的音源が作動している時は４５ｄＢ未満である、請求項２１のシステム。
【請求項２３】
前記照明源によって発光される照明のレベルの変化と同期して変化する音レベルで前記閉鎖空間において音を再生するための、前記制御サブシステムによって制御されるように通信可能に接続された少なくとも１つのスピーカを更に備え、前記制御サブシステムは、予め設定された時間の到来に応じて、前記音レベル及び照明レベルの両方を段階的に増大する信号を提供する、請求項１のシステム。
【請求項２４】
前記制御サブシステムは、あらかじめ設定された時間の到来に応じて前記音レベル及び照明レベルの両方を段階的に増大する信号を提供する、請求項２３のシステム。
【請求項２５】
前記閉鎖空間に、揮発性有機化合物低放出弾性床材を更に備える、請求項１のシステム。
【請求項２６】
前記閉鎖空間に、リフレクソロジー加工床材の通路を更に備える、請求項１のシステム。
【請求項２７】
配線によって前記閉鎖空間に生じる電磁場のレベルを低減するために前記配線に対して配置された少なくとも１つの電磁場シールドを更に備える、請求項１のシステム。
【請求項２８】
閉鎖空間における環境特性を制御する方法であって、
日周設定の選択を示す第１の入力を第１の時点で受け取ることと、
前記日周設定の選択を示す前記第１の入力に応じて、人工照明と自然照明との組み合わせが日周パターンに従って第１の期間にわたり変化するように、複数の照明源に、複数のレベル及び複数の波長で前記人工照明を発光させると共に、少なくとも１つのアクチュエータに、外部照明源から１つ以上の窓を介して前記閉鎖空間内に受ける前記自然照明の少なくともレベルを制御させる信号を、制御サブシステムによって提供することと、
第１の非日周設定の選択を示す第２の入力を第２の時点で受け取ることと、
前記第１の非日周設定の選択を示す前記第２の入力に応じて、人工照明と自然照明との組み合わせが第２の期間にわたり前記日周パターンに従って変化しないように、複数の照明源に、複数のレベル及び複数の波長で前記人工照明を発光させると共に、少なくとも１つのアクチュエータに、外部照明源から１つ以上の窓を介して前記閉鎖空間内に受ける自然照明の少なくともレベルを制御させる信号を、前記制御サブシステムによって提供することと
を備える方法。
【請求項２９】
前記非日周設定の選択を示す前記第２の入力に応じて、前記制御サブシステムは、前記人工照明と前記自然照明との組み合わせが前記第２の期間にわたり一定に保たれるように、前記複数の照明源及び前記少なくとも１つのアクチュエータに信号を提供する、請求項２８の方法。
【請求項３０】
睡眠時設定である第２の非日周設定の選択を示す第３の入力を第３の時点で受け取ることと、
前記睡眠時設定である第２の非日周設定を示す前記第３の入力に応じて、前記閉鎖空間の床付近の照明源のサブセットに、少なくとも１つの通路に沿って低い照明レベルで人工照明を発光させると共に、前記少なくとも１つのアクチュエータに、前記１つ以上の窓を介して前記閉鎖空間内に自然照明を受けることを防止させる信号を、前記制御サブシステムによって提供することと
を更に備える、請求項２８の方法。
【請求項３１】
移動調節設定の選択を示す第４の入力を第４の時点で受け取ることと、
前記動調節設定を示す前記第４の入力に応じて、
居住者の移動に起因する日周リズムの変化を調整するために、前記閉ざされた環境の居住者の移動元である地理的位置に少なくとも部分的に基づいて移動調節照明パターンを決定することと、
前記照明源に、人工照明と自然照明との組み合わせが前記閉鎖空間において前記決定された移動調節照明パターンを達成するように、前記レベル及び波長で前記人工照明を発光させると共に、前記少なくとも１つのアクチュエータに、前記１つ以上の窓を介して前記閉鎖空間内に受ける自然照明の少なくともレベルを制御させるための信号を、前記制御サブシステムによって提供することと
を更に備える、請求項２８の方法。
【請求項３２】
光療法設定の選択を示す第４の入力を第４の時点で受け取ることと、
前記光設定を示す前記第４の入力に応じて、人工照明と自然照明との組み合わせが治療期間にわたり前記閉鎖空間において所定の光療法照明パターンを達成するように、前記照明源に、前記レベル及び波長で前記人工照明を発光させると共に、前記少なくとも１つのアクチュエータに、前記１つ以上の窓を介して前記閉鎖空間内に受ける自然照明の少なくともレベルを制御させる信号を、前記制御サブシステムによって提供することと
を更に備える、請求項２８の方法。
【請求項３３】
前記少なくとも１つのアクチュエータに、前記１つ以上の窓を介して前記閉鎖空間内に受ける自然照明の少なくともレベルを制御させる信号を前記制御サブシステムによって提供することは、ａ）少なくとも１つのエレクトロクロマティック材料のペインが透過させる照明の量を変化させる信号を提供すること、又はｂ）前記少なくとも１つの窓に関連するシェード又はカーテンのうちの少なくとも１つを動かすように駆動的に連結された電気モータを制御する信号を提供すること、のうちの少なくとも１つを含む、請求項２８の方法。
【請求項３４】
前記少なくとも１つのアクチュエータに、前記１つ以上の窓を介して前記閉鎖空間内に受ける自然照明の少なくともレベルを制御させる信号を前記制御サブシステムによって提供することは、前記少なくとも１つの窓に関連するシェード又はカーテンのうちの少なくとも１つを動かすように駆動的に連結された電気モータを制御する信号を提供することを含む、請求項２８の方法。
【請求項３５】
前記閉鎖空間に人が入居したかを少なくとも１つのセンサによって検出することと、
前記閉鎖空間に人が入居したかを示す信号を前記制御サブシステムに提供することと
を更に備える、請求項２８の方法。
【請求項３６】
前記閉鎖空間から遠隔に配置された少なくとも１つのユーザ駆動型入力装置による入力を受け取ることと、
前記受け取った入力を示す信号を前記制御サブシステムに提供することと
を更に備える、請求項２８の方法。
【請求項３７】
空気処理サブシステムの少なくとも１つの構成部品に、前記閉鎖空間内の空気の空気特性を制御させる信号を前記制御サブシステムによって提供することを更に備え、前記空気処理サブシステムの少なくとも１つの構成要素に信号を提供することは、空気フィルタ、暖房装置、エアコンディショナ、加湿器、除湿器、通気孔、ファン、又はコンプレッサのうちの少なくとも１つに、前記閉鎖空間内の空気の温度又は湿度のうちの少なくとも１つを制御させる信号を提供することを含む、請求項２８の方法。
【請求項３８】
前記空気処理サブシステムの少なくとも１つの構成部品に信号を提供することは、空気フィルタ、暖房装置、エアコンディショナ、加湿器、除湿器、通気孔、ファン、又はコンプレッサのうちの少なくとも１つに、前記閉鎖空間内の空気の温度又は湿度のうちの少なくとも１つを制御させる信号を提供することを含む、請求項３７の方法。
【請求項３９】
前記閉鎖空間の少なくとも一部の付近の温度又は湿度を検出するために配置された温度センサ又は湿度センサのうちの少なくとも１つからの信号を前記制御サブシステムによって受信することを更に備える、請求項３７の方法。
【請求項４０】
前記空気処理サブシステムの少なくとも１つの構成部品に信号を提供することは、前記期間にわたり前記日周パターンに少なくとも部分的に基づいて、前記閉鎖空間内の空気の少なくとも温度を調節する信号を提供することを含む、請求項３７の方法。
【請求項４１】
機械式空気フィルタ、静電気粒子フィルタ、又は紫外線空気殺菌器のうちの少なくとも１つによって前記閉鎖空間のために空気を濾過することを更に備える、請求項３７の方法。
【請求項４２】
前記日周パターンと相関付けられた所定のスケジュールに基づいて複数の貯蔵器から前記閉鎖空間内の空気に選択的に香りを添加する信号を前記制御サブシステムによって提供することを更に備える、請求項３７の方法。
【請求項４３】
前記閉鎖空間内の空気に選択的に香りを添加する信号を前記制御サブシステムによって提供することは、所定のスケジュールに基づいて信号を提供することを含む、請求項４２の方法。
【請求項４４】
前記閉鎖空間内の空気に選択的に香りを添加する信号を前記制御サブシステムによって提供することは、ユーザ入力に応じてオンデマンドベースで信号を提供することを含む、請求項４２の方法。
【請求項４５】
沈殿フィルタ又は活性炭フィルタのうちの少なくとも１つを備える給水サブシステムを介して前記閉鎖空間の蛇口又はシャワーヘッドへの水の供給を濾過することと、前記水を殺菌するために紫外線照明を前記水に当てることとを更に備え、かつ、前記閉鎖空間のシャワーヘッドに供給される水にビタミンＣを添加することを更に備える、請求項２８の方法。
【請求項４６】
前記閉鎖空間のシャワーヘッドに供給される水にビタミンＣを添加することを更に備える、請求項４５の方法。
【請求項４７】
前記照明源によって発光される照明のレベルの変化と同期して変化する音レベルで前記閉鎖空間において音を再生するために少なくとも１つのスピーカへ前記制御サブシステムによって信号を供給することを更に備える、請求項２８の方法。
【請求項４８】
居住環境における環境特性を向上させるためのシステムであって、
閉じた位置にある時、前記居住環境を外部から音響的に遮断する少なくとも１つの音響減衰窓と、
前記居住環境を外部から音響的に遮断する少なくとも１つの音響減衰壁部材と、
前記居住環境を外部から音響的に遮断する少なくとも１つの音響減衰床部材と、
前記居住環境において音を再生するために選択的に動作可能な少なくとも１つのスピーカと
を備えるシステム。
【請求項４９】
前記居住環境において複数のレベル及び複数の波長で人工照明を発光するために選択的に動作可能な複数の照明源と、
外部の自然照明源から１つ以上の窓を介して前記居住環境内に受ける照明の量を制御するために動作可能な少なくとも１つのアクチュエータと
を更に備える、請求項４８のシステム。
【請求項５０】
前記複数の照明源、前記少なくとも１つのアクチュエータ、及び前記少なくとも１つのスピーカを制御するために通信可能に接続された制御サブシステムを更に備える、請求項４９のシステム。
【請求項５１】
閉じた位置にある時、前記居住環境を外部から音響的に遮断する少なくとも１つの音響減衰度を更に備える、請求項４８のシステム。
【請求項５２】
前記居住環境内の少なくとも１つの表面上に光触媒抗菌剤を更に備える、請求項４８のシステム。
【請求項５３】
居住環境における環境特性を制御するための方法であって、
第１の居住者が前記居住環境に入居する前に、前記居住環境に抗菌剤を散布することと、
前記第１の居住者が前記居住環境に入居する前に、前記居住環境内の表面に紫外線照明を当てることと、
前記第１の居住者が前記居住環境に入居する前に、前記居住環境内のベッドに抗菌寝具を敷くことと、
前記第１の居住者の少なくとも１つの特性に基づいて、前記居住環境に提供される人工照明及び自然照明の両方を制御する照明パターンを設定することと
を備える方法。
【請求項５４】
前記第１の居住者の少なくとも１つの特性に基づいて、前記居住環境に提供される人工音を制御する音パターンを設定することを更に備える、請求項５３の方法。
【請求項５５】
音パターンを設定することは、前記第１の居住者の少なくとも１つの特性に基づいて前記居住環境に提供される人工照明及び自然照明の両方を制御する前記照明パターンに少なくとも部分的に同期する音パターンを設定することを含む、請求項５４の方法。
【請求項５６】
前記第１の居住者が前記居住環境に入居する前に、前記居住環境から前記抗菌剤を除去することを更に備える、請求項５３の方法。
【請求項５７】
前記居住環境に抗菌剤を散布することは、光触媒抗菌剤を散布することを含み、
前記第１の居住者が前記居住環境に入居する前に、所定の時間、所定の波長の照明を前記抗菌剤に当てることを更に備える、請求項５３の方法。
【請求項５８】
前記居住環境に処理された水を提供することを更に備える、請求項５３の方法。
【発明の詳細な説明】
【技術分野】
【０００１】
本発明は一般に、例えば住宅、ホテル又はモーテル、オフィス、及び病院などの居住環境に関し、詳細には、そのような環境での人の居住の質を高めるための技術に関する。
【背景技術】
【０００２】
多くの人が、家、アパートメント、コンドミニアムユニット、ホテルのスイートルーム又は客室、モーテルのスイートルーム又は客室、スパ、病院、ならびに他の公共施設及び個人施設に関連する閉鎖空間などの居住環境でかなりの長時間過ごす。それらの閉鎖空間は、例えば家、アパートメント、又はコンドミニアムユニットのように、主要居住者によって管理されるか又は所有される場合もある。また、それらの閉鎖空間が、例えばホテル、モーテル、スパ、病院を所有及び／又は運営する施設所有者又は運営者のように、他者によって管理される場合もある。
【発明の概要】
【発明が解決しようとする課題】
【０００３】
このような空間で過ごす時間が長いため、居住者は様々な環境要因に曝され、それらのうちいずれかが、居住者の健康、快適性、又は幸福感に悪影響を及ぼすことも好影響を与えることもある。好影響を与える傾向のある環境要因を増加させつつ、悪影響を及ぼす傾向のある環境要因が生じることを最小限にすることが望ましい。
【０００４】
居住環境を向上させる新たな手法が望まれる。
【０００５】
本明細書で説明される様々な手法は、悪影響を軽減又は改善し、好影響を増大するために、居住環境の環境特性を向上させるための受動的手法と能動的手法とを併用する。これらの手法は、例えばホテルやモーテルの部屋、スパ、リゾート、巡航船の船室、長期滞在用スイートなどの接客環境における特定の用途を有してよい。これらの手法は、例えばオフィス、小売店、工場、又は倉庫などの職業環境における用途を有してよい。これらの手法は、例えば家屋、アパートメント、ポーチ、コンドミニアム、又は他の住宅などの居住環境における用途を有してよい。これらの手法は、例えば病院や診療所、空港及び駅などの輸送機関に関する待合エリア、及び／又は映画館、劇場、競技場、美術館、及び他の会場などの他の環境における用途を有してよい。様々な組み合わせが、単独では得られない相乗効果を有利に与えうる。
【課題を解決するための手段】
【０００６】
閉鎖空間における環境特性を制御するためのシステムは、要約すると、少なくとも１つのプロセッサ、及びプロセッサ読取可能命令又はデータのうちの少なくとも１つを記憶する少なくとも１つの非一時的プロセッサ読取可能媒体と、閉鎖空間の少なくとも一部に提供される照明の照明特性を制御するために動作可能な照明サブシステムとを備える制御サブシステムを含み、照明サブシステムは、複数のレベル及び複数の波長で照明を発光するために選択的に動作可能な複数の照明源と、外部照明源から１つ以上の窓を介して閉鎖空間内に受ける照明の量を制御するために動作可能な少なくとも１つのアクチュエータと、閉鎖空間内に配置され、かつ制御サブシステムに通信可能に接続された、日周設定と少なくとも１つの打ち消し設定とを切り換えるためにユーザによって選択的に駆動可能な少なくとも１つのユーザ駆動型入力装置とを含み、制御サブシステムは、複数の照明源及び少なくとも１つのアクチュエータを制御するために通信可能に接続され、日周設定のときに、制御サブシステムは、照明源及び少なくとも１つのアクチュエータに、一定期間にわたり所定の日周パターンに従って照明を提供させる信号を、照明源及び少なくとも１つのアクチュエータに提供し、日周パターンは、一定期間にわたり少なくとも１つの所定の緯度において自然に発生する照明の照明レベル及び色温度の変化に少なくとも概ね一致する。
【０００７】
少なくとも１つのアクチュエータは、少なくとも１つの窓におけるエレクトロクロマティックガラスを備えてよい。少なくとも１つのアクチュエータは、少なくとも１つの窓を覆う少なくとも１つの遮光シェードを選択的に位置付けする伝動装置に物理的に連結された電気モータを備えてよい。日周パターンの夜部分において、制御サブシステムは、閉鎖空間のドアへの少なくとも１つの通路付近に低レベルの照明を生成するために、例えばソリッドステート照明源又は小型白熱灯などの照明源の少なくともサブセットに信号を提供してよい。少なくとも１つの打ち消し設定のうちの第１の打ち消し設定時に、制御サブシステムは、照明源及び少なくとも１つのアクチュエータに、所定の日周パターンに従わない照明を提供させる信号を、照明源及び少なくとも１つのアクチュエータに提供してよい。少なくとも１つの打ち消し設定のうちの第２の打ち消し設定時に、制御サブシステムは、照明源及び少なくとも１つのアクチュエータに、居住者の移動に起因する日周リズムの変化を調整するために居住者の移動元である地理的位置に少なくとも部分的に基づいて閉鎖空間に照明を提供させる信号を、照明源及び少なくとも１つのアクチュエータに提供してよい。少なくとも１つの打ち消し設定のうちの第３の打ち消し設定時に、制御サブシステムは、照明源及び少なくとも１つのアクチュエータに、閉鎖空間の地理的位置における季節変化に起因する日周リズムの変化を調整するために、時期に少なくとも部分的に基づいて閉鎖空間に照明を提供させる信号を、照明源及び少なくとも１つのアクチュエータに提供してよい。少なくとも１つの打ち消し設定のうちのまた別の打ち消し設定時に、制御サブシステムは、照明源及び少なくとも１つのアクチュエータに、閉鎖空間の居住者に治療効果をもたらすように閉鎖空間に照明を提供させる信号を、照明源及び少なくとも１つのアクチュエータに提供してよい。当該システムは、閉鎖空間における居住者の存在を検出するために配置され、かつ閉鎖空間の現在の入居状態を示す信号を提供するために制御サブシステムに通信可能に接続された少なくとも１つのセンサを更に備えてよい。当該システムは、閉鎖空間から遠隔に配置され、かつ制御サブシステムに通信可能に接続された、システムの複数の設定間で切り換えるために選択的に駆動可能な少なくとも１つのユーザ駆動型入力装置を更に備えてよい。当該システムは、閉鎖空間内の空気の空気特性を制御するための空気処理サブシステムを更に含んでよく、空気処理システムは、空気フィルタ、暖房装置、エアコンディショナ、加湿器、除湿器、通気孔、ファン、又はコンプレッサのうちの少なくとも１つを含み、また空気処理システムは、閉鎖空間の少なくとも一部の付近の温度又は湿度を検出するために配置された温度センサ又は湿度センサのうちの少なくとも１つを備える。制御サブシステムは、閉鎖空間内の空気の温度又は湿度のうちの少なくとも１つを制御するための信号を空気処理サブシステムの少なくとも一部に提供してよい。制御サブシステムは、一定期間にわたり日周パターンに少なくとも部分的に基づいて閉鎖空間内の空気の少なくとも温度を調節するための信号を提供してよい。少なくとも１つの空気フィルタは、ＨＥＰＡ機械式空気フィルタ、静電気粒子空気フィルタ、紫外線空気フィルタ、イオン発生器、及び／又は光触媒空気清浄器のうちの少なくとも１つを備えてよい。空気処理サブシステムは、複数の貯蔵器から閉鎖空間内の空気に選択的に香りを添加するための複数の注入口を更に含んでよく、制御サブシステムは、閉鎖空間内の空気への香りの添加を制御するための信号を空気処理サブシステムの少なくとも一部に提供してよい。制御サブシステムは、所定のスケジュールに基づいて閉鎖空間内の空気への香りの添加を制御するための信号を空気処理サブシステムの少なくとも一部に提供してよい。制御サブシステムは、ユーザ入力に応じてオンデマンドで閉鎖空間内の空気への香りの添加を制御するための信号を空気処理サブシステムの少なくとも一部に提供してよい。システムは、蛇口又はシャワーヘッドを介して閉鎖空間に供給される水を濾過する沈殿フィルタ及び活性炭フィルタを備える給水サブシステムを更に備えてよい。給水サブシステムは、蛇口又はシャワーヘッドを介して閉鎖空間に供給される水を紫外線照明によって照明する紫外線水殺菌器を更に備えてよい。給水サブシステムは、蛇口又はシャワーヘッドを介して閉鎖空間に供給される水にビタミンＣを供給するための注入口を更に備えてよい。当該システムは、複数の配管部品のうちの少なくともいくつかを音響的に遮断するために配置された少なくとも一片の防音材と、閉じた位置にある時、平作管を外部から音響的に遮断する少なくとも１つの音響減衰ドアと、閉じた位置にある時、閉鎖空間を外部から音響的に遮断する少なくとも１つの音響減衰窓と、閉鎖空間を外部から音響的に遮断する少なくとも１つの音響減衰壁部材と、閉鎖空間を外部から音響的に遮断する少なくとも１つの音響減衰床部材とを含みうる周囲音サブシステムを更に備えてよい。閉鎖空間における周囲音レベルは、閉鎖空間内で能動音源が作動している時は４５ｄＢを下回りうる。当該システムは、照明源によって発光される照明のレベルの変化と同期して変化する音レベルで閉鎖空間において音を再生するように制御サブシステムによって制御されるように通信可能に接続された少なくとも１つのスピーカを更に備えてよい。制御サブ当該システムは、予め設定された時間の到来に応じて音レベル及び照明レベルの両方を段階的に増大する信号を提供してよい。当該システムは、閉鎖空間における揮発性有機化合物低放出弾性床材を更に備えてよい。当該システムは、閉鎖空間におけるリフレクソロジー加工床材の通路を更に備えてよい。当該システムは、配線によって閉鎖空間内に生じる電磁場のレベルを低減するために配線に対して配置された少なくとも１つの電磁場シールドを更に備えてよい。
【０００８】
閉鎖空間における環境特性を制御するための方法は、要約すると、日周設定の選択を示す第１の入力を第１の時点で受け取ることと、日周設定の選択を示す第１の入力に応じて、人工照明と自然照明との組み合わせが日周パターンに従って第１の期間にわたり変化するように、複数の照明源に、複数のレベル及び複数の波長で人工照明を発光させると共に、少なくとも１つのアクチュエータに、外部照明源から１つ以上の窓を介して閉鎖空間内に受ける自然照明の少なくともレベルを制御させる信号を、制御サブシステムによって提供することと、第１の非日周設定の選択を示す第２の入力を第２の時点で受け取ることと、第１の非日周設定の選択を示す第２の入力に応じて、人工照明と自然照明との組み合わせが第２の期間にわたり日周設定に従って変化しないように、複数の照明源に、複数のレベル及び複数の波長で人工照明を発光させると共に、少なくとも１つのアクチュエータに、外部照明源から１つ以上の窓を介して閉鎖空間内に受ける自然照明の少なくともレベルを制御させる信号を、制御サブシステムによって提供することとを含む。
【０００９】
第１の非日周設定の選択を示す第２の入力に応じて、制御サブシステムは、人工照明と自然照明との組み合わせが第２の期間にわたり一定に保たれるように、複数の照明源及び少なくとも１つのアクチュエータに信号を提供してよい。当該方法は、睡眠時設定である第２の非日周設定の選択を示す第３の入力を第３の時点で受け取ることと、睡眠時設定である第２の非日周設定を示す第３の入力に応じて、閉鎖空間の床付近の照明源のサブセットに、少なくとも１つの通路に沿って低い照明レベルで人工照明を発光させると共に、少なくとも1つのアクチュエータに、１つ以上の窓を介して閉鎖空間内に自然照明を受けることを防止させる信号を、制御サブシステムによって提供することとを含んでよい。当該方法は、移動調節設定の選択を示す第４の入力を第４の時点で受け取ることと、移動調節設定を示す第４の入力に応じて、居住者の移動に起因する日周リズムの変化を調整するために、閉鎖空間の居住者の移動元の地理的位置に少なくとも部分的に基づいて移動調節照明パターンを決定することと、人工照明と自然照明との組み合わせが閉鎖空間において決定された移動調節照明パターンを達成するように、照明源に当該レベル及び波長で人工照明を発光させると共に、少なくとも１つのアクチュエータに、１つ以上の窓を介して閉鎖空間内に受ける自然照明の少なくともレベルを制御させる信号を制御サブシステムによって提供することとを更に含んでよい。当該方法は、光療法設定の選択を示す第４の入力を第４の時点で受け取ることと、光設定を示す第４の入力に応じて、人工照明と自然照明との組み合わせが治療期間にわたり閉鎖空間において所定の光療法照明パターンを達成するように、照明源に、当該レベル及び波長で人工照明を発光させると共に、少なくとも１つのアクチュエータに、１つ以上の窓を介して閉鎖空間内に受ける自然照明の少なくともレベルを制御させる信号を制御サブシステムによって提供することとを更に備えてよい。少なくとも１つのアクチュエータに、１つ以上の窓を介して閉鎖空間内に受ける自然照明の少なくともレベルを制御させる信号を制御サブシステムによって提供することは、少なくとも１つのエレクトロクロマティック材料のペインが透過させる光の量を変化させる信号を提供することを含んでよい。少なくとも１つのアクチュエータに、１つ以上の窓を介して閉鎖空間内に受ける自然照明の少なくともレベルを制御させる信号を制御サブシステムによって提供することは、少なくとも１つの窓に関連するシェード又はカーテンのうちの少なくとも１つを動かすために駆動的に連結された電気モータを制御する信号を提供することを含んでよい。当該方法は、閉鎖空間に人が入居したかを少なくとも１つのセンサによって検出することと、閉鎖空間に人が入居したかを示す信号を制御サブシステムに提供することとを更に含んでよい。
【００１０】
当該方法は、閉鎖空間から遠隔に配置された少なくとも１つのユーザ駆動型入力装置による入力を受け取ることと、受け取った入力を示す信号を制御サブシステムに提供することとを更に含んでよい。当該方法は、閉鎖空間内の空気の空気特性を制御するために、空気処理サブシステムの少なくとも１つの構成部品に制御サブシステムによって信号を提供することを更に含んでよい。空気処理サブシステムの少なくとも１つの構成部品に信号を提供することは、閉鎖空間内の空気の温度又は湿度のうちの少なくとも１つを制御するために、空気フィルタ、暖房装置、エアコンディショナ、加湿器、除湿器、通気孔、ファン、又はコンプレッサのうちの少なくとも１つに信号を提供することを含んでよい。当該方法は、閉鎖空間の少なくとも一部の付近の温度又は湿度を検出するために配置された温度センサ又は湿度センサのうちの少なくとも１つからの信号を制御サブシステムによって受け取ることを更に含んでよい。空気処理サブシステムの少なくとも１つの構成部品に信号を提供することは、当該期間にわたり日周パターンに少なくとも部分的に基づいて閉鎖空間内の空気の少なくとも温度を調節する信号を提供することを含んでよい。当該方法は、ＨＥＰＡ機械式フィルタ、静電気粒子空気フィルタ、紫外線空気フィルタ、イオン発生器、及び／又は光触媒空気清浄器のうちの少なくとも１つによって閉鎖空間のために空気を濾過することを更に含んでよい。当該方法は、複数の貯蔵器から閉鎖空間内の空気に選択的に香りを添加する信号を制御サブシステムによって提供することを更に含んでよい。閉鎖空間内の空気に選択的に香りを添加する信号を制御サブシステムによって提供することは、所定のスケジュールに基づいて信号を提供することを含んでよい。閉鎖空間内の空気に選択的に香りを添加する信号を制御サブシステムによって提供することは、ユーザ入力に応じてオンデマンドベースで信号を提供することを含んでよい。当該方法は、沈殿フィルタ又は活性炭フィルタのうちの少なくとも１つを備える給水サブシステムを介して閉鎖空間の蛇口又はシャワーヘッドへの水の供給を濾過することと、水を殺菌するために水に紫外線照明を当てることとを更に含んでよい。当該方法は、閉鎖空間のシャワーヘッドに供給される水にビタミンＣを添加することを更に含んでよい。当該方法は、照明源によって発光される照明のレベルの変化と同期して変化する音レベルで閉鎖空間において音を再生するために、少なくとも１つのスピーカに制御サブシステムによって信号を供給することを更に含んでよい。
【００１１】
居住環境における環境特性を向上させるシステムは、要約すると、閉じた位置にある時、居住環境を外部から音響的に遮断する少なくとも１つの音響減衰窓と、居住環境を外部から音響的に遮断する少なくとも１つの音響減衰壁部材と、居住環境を外部から音響的に遮断する少なくとも１つの音響減衰床部材と、居住環境において音を再生するために選択的に動作可能な少なくとも１つのスピーカとを備える。
【００１２】
当該システムは、居住環境において複数のレベル及び複数の波長で人工照明を発光するために選択的に動作可能な複数の照明源と、外部の自然照明源から１つ以上の窓を介して居住環境内に受ける照明の量を制御するために動作可能な少なくとも１つのアクチュエータとを更に備えてよい。当該システムは、複数の照明源、少なくとも１つのアクチュエータ、及び少なくとも１つのスピーカを制御するために通信可能に接続された制御サブシステムを更に備えてよい。当該システムは、閉じた位置にある時、居住環境を外部から音響的に遮断する少なくとも１つの音響減衰ドアを更に備えてよい。当該システムは、居住環境内の少なくとも１つの表面上の光触媒抗菌剤を更に備えてよい。
【００１３】
居住環境における環境特性を制御する方法は、要約すると、第１の居住者が居住環境に入居する前に、居住環境に抗菌剤を散布することと、第１の居住者が居住環境に入居する前に、居住環境内の表面に紫外線照明を当てることと、第１の居住者が居住環境に入居する前に、居住環境内のベッドに抗菌寝具を敷くことと、第１の居住者の少なくとも１つの特性に基づいて、居住環境に提供される人工照明及び自然照明の両方を制御する照明パターンを設定することとを含む。
【００１４】
当該方法は、第１の居住者の少なくとも１つの特性に基づいて、居住環境に提供される人工音を制御する音パターンを設定することを更に含んでよい。音パターンを設定することは、第１の居住者の少なくとも１つの特性に基づいて、居住環境に提供される人工照明及び自然照明の両方を制御する照明パターンに少なくとも部分的に同期する音パターンを設定することを含んでよい。当該方法は、第１の居住者が居住環境に入居する前に、居住環境から抗菌剤を除去することを更に含んでよい。居住環境に抗菌剤を散布することは、光触媒抗菌剤を散布することを含んでよく、第１の居住者が居住環境に入居する前に、所定の時間、所定の波長の照明を抗菌剤に当てることを更に含んでよい。当該方法は、居住環境に処理された水を提供することを更に含んでよい。
【００１５】
図面において、同一の参照番号は同一の要素又は動作を示す。図面内の要素の寸法及び相対位置は必ずしも一定の縮尺で描かれていない。例えば、様々な要素の形状及び角度は一定の縮尺で描かれておらず、それらの要素のいくつかは、図面の明瞭さを高めるために任意に拡大及び位置付けされる。更に、描かれた要素の特定の形状は、特定の要素の実際に関する情報を伝えることは意図されておらず、単に図面を認識しやすくするために選択されただけである。
【図面の簡単な説明】
【００１６】
【図１】居住環境の様々な要素又は部品の拡大図を含む、例示された一実施形態に係る居住環境の概略図である。
【図２】例示された一実施形態に係る、居住環境を向上させるための居住環境向上システムの一部を示すブロック図である。
【図３】例示された一実施形態に係る、居住環境に向上した環境を提供する高レベルの方法を示すフロー図である。
【図４】図３に示す方法の少なくとも一部を実行する際に役立ちうる、例示された一実施形態に係る、照明を提供するための居住環境向上システムの１つ以上の構成部品を作動する低レベルの方法を示すフロー図である。
【図５】図４に示す方法の少なくとも一部を実行する際に役立ちうる、例示された一実施形態に係る、エレクトロクロマティックペインを用いて居住環境で受ける自然光の量を調節するために居住環境向上システムの１つ以上の構成部品を作動させる低レベルの方法を示すフロー図である。
【図６】図４に示す方法の少なくとも一部を実行する際に役立ちうる、例示された一実施形態に係る、ドレープ、シェード、又はカーテンを用いて居住環境で受ける自然光の量を調節するために居住環境向上システムの１つ以上の構成部品を作動させる低レベルの方法を示すフロー図である。
【図７】図３に示す方法の少なくとも一部を実行する際に役立ちうる、例示された一実施形態に係る、居住環境の暖房、換気、及び冷房を提供するための居住環境向上システムの１つ以上の構成部品を作動する低レベルの方法を示すフロー図である。
【図８】図３に示す方法の少なくとも一部を実行する際に役立ちうる、例示された一実施形態に係る、居住環境内に香り又はアロマを添加するための居住環境向上システムの１つ以上の構成部品を作動させる低レベルの方法を示すフロー図である。
【図９】図３に示す方法の少なくとも一部を実行する際に役立ちうる、例示された一実施形態に係る、居住環境で用いる水を処理するための居住環境向上システムの１つ以上の構成部品を作動させる低レベルの方法を示すフロー図である。
【図１０】図３に示す方法の少なくとも一部を実行する際に役立ちうる、例示された一実施形態に係る、居住環境の音響の態様を調節するための居住環境向上システムの１つ以上の構成部品を作動させる低レベルの方法を示すフロー図である。
【発明を実施するための形態】
【００１７】
以下の説明において、様々な開示された実施形態の完全な理解を提供するために、ある特定の細部が説明される。しかし、当業者であれば、それら特定の詳細のうちの１つ以上がなくても、あるいは他の方法、構成要素、材料等を用いても実施形態が実現されうることを認めるであろう。他の例において、例えばファン、送風機、暖房装置、エアコンディショナ又はスワンプクーラなどの冷房装置、コンプレッサ、及び、コンピュータシステム、ネットワーク、及び他の通信チャネルなどの制御システムなどの環境制御装置に関連する良く知られた構造は、実施形態の説明を不必要に不明確にすることを避けるために詳細に図示及び説明することはない。
【００１８】
文脈が例外を要さない限り、本明細書及び特許請求の範囲を通して、「備える」という文言及びその変形、例えば「含む」及び「有する」は、限定的ではなく包括的な意味、すなわち「含むが、それらに限定されない」と解釈されるべきである。
【００１９】
本明細書全体にわたって「一実施形態」又は「実施形態」という言及は、実施形態に関連して説明される特定の特徴、構造、あるいは特性が、少なくとも１つの実施形態に含まれることを意味する。従って、本明細書の各所における「一実施形態において」又は「実施形態において」という語句の使用は、必ずしも同一の実施形態に全てが言及しているのではない。更に、特定の特徴、構造、あるいは特性は、１つ以上の実施形態において任意の適切な方法で兼ね備えられうる。
【００２０】
本明細書及び特許請求の範囲において用いられる場合、単数形の”a”, ”an”及び”the”は、内容が明確に例外を示さない限り、複数の指示対象を含む。また、「又は」という文言は、内容が明確に例外を示さない限り、「及び／又は」を含む意味で一般に用いられることも留意すべきである。
【００２１】
本明細書に提供される見出し及び要約は、便宜上の目的のみであり、実施形態の範囲又は意味を説明するものではない。
環境概要
【００２２】
図１は、本明細書で説明される様々な装置、方法、及び物品が動作しうる例示された一実施形態に係る居住環境１００を示す。
【００２３】
居住環境１００は、例えば家屋、ホテル、スパ、コンドミニアムユニット、アパートメント、オフィス、病院、又は人が一般的に居住するその他の施設に関する１つ以上の部屋などの１つ以上の閉鎖空間の形式をとってよい。
【００２４】
居住環境１００は、床システム１０２、壁システム１０４、及び天井システム１０６を備え、１つ以上のドア１０８ａ，１０８ｂ（集合的に１０８として示す）及び／又は窓１１０ａ，１１０ｂ（集合的に１１０として示す）を備えてよい。ドア１０８は、室外環境への入口及び出口を提供するか、あるいは居住環境１００内の他の閉鎖空間への入口及び出口を提供してよい。例えば、一方のドア１０８ａは、居住環境１００と居住環境１００の外側の廊下（不図示）との間の通路を提供しうる。他方のドア１０８ｂは、例えば寝室又は居室１００ａと浴室１００ｂとの間のように、居住環境１００内の１つの部分と別の部分との間の通路を提供しうる。
【００２５】
室外へのドア１０８ａは、例えばカードキー入室ロック１１２ｂなどの付随するロック付きの取っ手１１２ａを有してよい。カードキー入室ロック１１２ｂは、カードキー１１４の、磁気ストライプ又はワイヤレストランスポンダ（例えば、無線認識票すなわちＲＦＩＤトランスポンダ又はスマートカード）のいずれかにおいて符号化された識別子を読み取る。識別子は、居住環境１００の居住者又は入居者に論理的に関連付けされうる。例えば、ホテルの宿泊客は、所与の客室を割り当てられ、その客室への入室を提供するカードキー１１４を支給されうる。宿泊客の身元情報は、客室との論理関係（例えば、キー、ポインタ）を伴ってデータベース又は他のデータ構造に記憶されうる。同様に、宿泊客の様々な属性が、宿泊客の身元情報に論理的に関連付けられて、データベース又は他のデータ構造に記憶されうる。それによって、以下で説明するように、居住環境１００の環境の様々な態様が特定の居住者に合わせてカスタマイズされることが可能になる。
【００２６】
図示したように、居住環境１００は、一部屋の寝室及び居室エリア１００ａと、独立した浴室１００ｂとを備える客室であってよい。居住環境１００は、様々な家具又は備品を備えてよい。例えば居住環境１００は、ベッド１１６、ドレッサー１１８、エンドテーブル１２０ａ，１２０ｂ（集合的に１２０として示す）を備えてよい。また、例えば居住環境１００は、バスタブ又はシャワー１２２、シンク１２４ａ，１２４ｂ（集合的に１２４として示す）、便器１２６、及び任意選択的にタオルラック１２８を浴室部分１００ｂ内に備える。バス又はシャワー１２２は、蛇口１３０、シャワーヘッド１３２、及び操作ハンドル１３４を有してよい。操作ハンドル１３４は、給水源（図１に不図示）から蛇口１３０及び／又はシャワーヘッド１３２を通って出る水の量を調整するために操作可能である。シンクは、蛇口１３６及び操作ハンドル１３８を有してよい。操作ハンドル１３８は、給水源（図１に不図示）から蛇口１３６を通って出る水の量を調整するために操作可能である。居住環境１００は更に、１つ以上のクロゼット１４０を備えてよい。
【００２７】
居住環境１００は、居住環境１００の居住者のウェルネス又はウェルネス感覚に関わる複数の構成部品（例えば、装置、物品、構造）を備えてよい。それらの構成部品のうちいくつかは、命令又は信号に応答して駆動される動的部品であり、その他は受動部品である。それらの部品は、相乗効果を提供するためにシステムとして集められ、居住環境すなわち閉鎖空間の居住者又は入居者の健康、ウェルネス、又は幸福感を向上させる。図１及び２に関連して以下で様々な部品が説明され、それらの典型的な動作が図３〜１０に関連して以下で説明される。
【００２８】
居住環境１００は、例えば照明、暖房、換気及び空調（ＨＶＡＣ）、水処理、及び音響に関する所望の環境特性を達成するために動作可能な複数の動的部品を備えてよい。
【００２９】
制御型照明は、居住環境１００の所望の環境特性を達成する一態様である。従って、居住環境１００は、例えば波長又は色調の強度及び／又は構成を変化させることによって所望の出力を生成するように制御される複数の人工照明器具１４２ａ〜１４２ｅ（集合的に１４２として示す）を備えてよい。照明器具１４２は、例えばランプ（例えば、卓上、床置き型）１４２ａ，１４２ｂ、壁付照明１４２ｃ，１４２ｄ、及び／又は真上からの照明１４２ｅなどの様々な形式をとってよい。照明器具１４２は、例えば白熱灯、蛍光灯、小型蛍光灯、及び発光ダイオード（ＬＥＤ）灯などの様々な照明源１４４を用いてよい。照明器具１４２は、安定器（例えば、電子安定器）及び／又は作動に必要な他の電気部品あるいは電子部品を任意選択的に備えてよい。照明器具１４２は、熱を除去するための受動及び／又は動的熱管理部品を備えることによって、照明器具１４２の作動寿命を延ばしてもよい。各照明器具１４２は、複数の独立した照明源又は光源１４４を含んでよく、照明源１４４の各々又は各セットは、それぞれの波長範囲内で発光するように操作可能である。その範囲の一部は重なってよく、その他の範囲は重なることも重ならないこともある。照明源１４４の各々又はセットは、所与の時間に、所望の波長の分布を達成するように個々に操作可能であってよい。各照明器具１４２は、用いられる照明源１４４の種類に依存して多種多様な形式をとりうる１つ以上の強度調整回路（例えば、調光回路）を備えてよい。例えば、白熱光源の場合は加減抵抗型調光スイッチが用いられうるが、ＬＥＤ光源の強度を調整するためにはより高度なパルス幅変調技術が用いられうる。
【００３０】
居住環境１００は、室外、例えば自然光源（例えば、太陽）から１つ以上の窓１１０を通して居住環境１００内に受けている自然光を調整するために制御される複数の部品を上記に加えて、あるいは上記に代えて備えてよい。それらは、窓１１０ａのエレクトロクロマティックペイン１４６と、例えばエレクトロクロマティックペイン１４６の透過率を制御するために連結された電圧源１４８などの関連するアクチュエータとを備えてよい。エレクトロクロマティックペイン１４６は通常、エレクトロクロマティック窓ガラスと称されうるが、本明細書の実施形態はガラスに限定されることは意図されない。それらは、１つ以上のドレープ、シェード、又はカーテン、あるいは他の窓遮蔽物（集合的に遮蔽物１５０として示す）、及び、窓１１０ｂに対してレール１５６に沿って窓遮蔽物を動かすための伝動装置１５４に連結された例えば電気モータ１５２などのアクチュエータを備えてよい。エレクトロクロマティックペイン１４６は、刺激に応答して、例えば付加された電圧及び／又は電流などの信号が用いられたことに応答して、一部の波長の光の透過率を制御又は選択することができるガラス、鏡、又は他の材料を含んでよい。例えば、エレクトロクロマティックペイン１４６は、第１の信号に応答して様々な波長（例えば、白色光）に対して実質的に透明であり、第１の信号とは異なる第２の信号に応答して様々な波長（例えば、白色光）に対して実質的に不透明であることができる。エレクトロクロマティックペイン１４６は、ほぼ通過する又はほぼ遮蔽される光の強度を制御し、及び／又は選択的にほぼ通過するかほぼ遮蔽される波長を制御するために調整することができる。
【００３１】
図２及び４〜６を参照して、照明及び照明を提供する部品への様々な手法が以下で説明される。
【００３２】
ＨＶＡＣは、居住環境１００の所望の環境特性が達成されるための別の態様である。従って、居住環境１００は、居住環境１００又はその一部が所望の気温、湿度、及び／又は空気質を有するように空気を提供する複数の通気孔１５８ａ〜１５８ｂ（３つのみが図示され、集合的に１５８として示す）を備えてよい。通気孔１５８のうちの少なくとも１つが、居住環境１００又はその一部に選択的に香りを供給してよい。図２及び７を参照して、空気を処理するための様々な空気処理又は部品が以下で説明される。
【００３３】
空気質を相乗的に向上させるために様々な建築上の解決策がＨＶＡＣシステム及び関連装置と協働するように用いられうる。例えば、冷たい空気が床付近の空間に流れ、天井の通気孔を通って既存の空気と入れ換わる空気置換システムは、ＨＶＡＣ及び空気清浄機の性能を高めることができる。
【００３４】
同様に、水は、居住環境１００の所望の環境特性が達成されるためのまた別の態様である。従って、居住環境１００は、ウェルネスを改善するために様々な方法で処理された水を供給する複数の蛇口１３０，１３６及び／又はシャワーヘッド１３２を備えてよい。図２及び９を参照して、水を処理するための様々な水処理及び部品が以下で説明される。
【００３５】
居住環境１００は、例えば床システム１０２、壁システム１０４、天井システム１０６、音響、空気質（例えば、ゼロ又は低いＶＯＣ排出）、及び衛生設備（抗病原体）に関する、所望の環境特性を達成するための複数の受動部品を備えてよい。それらの多くが以下で説明される。
【００３６】
居住環境１００は、様々な利益を果たすように設計された床システム１０２、壁システム１０４、天井システム１０６、及び／又はベッド１１６を備えてよい。例えば、床システム１０２、壁システム１０４、及び／又は天井システム１０６は、雑音の被害を軽減するように設計される。
【００３７】
騒々しい環境は、現代生活の一部となりつつある。ファン、頭上の飛行機、交通車両、及び騒々しい近隣者の全てが、屋内の周辺雑音状態に寄与する。アメリカ人の約半数は、背景雑音が５５デシベル（ｄＢ）を上回る―ほとんどの人がうるさいと感じるレベルの場所に居住している。対数デシベル目盛において、０ｄＢは、音が人間の耳に認識できるようになる点であり、１０ｄＢ増すごとに、音圧レベルは１０倍に増加する。一度に８時間以上の時間、一定に８５ｄＢに晒されると、永久に聴力を失うことがある。音を発生するもののすぐ近くに隣接していない都会の室外空間において、背景雑音はしばしば４０ｄＢ近い。世界保健機関は、家の中では４５ｄＢ及び寝室に関しては３０ｄＢ未満である周辺雑音レベルを推奨している。
【００３８】
従って、居住環境１００は、雑音を低減する利益を果たすための様々な受動的手法を含んでよい。
【００３９】
家の中の不快な雑音のほとんどは屋外から発生しているので、防音障壁は全体の音バランスの重要な部分である。壁及び窓において効果的な断熱を提供するのと同じ技術の多数が、同時に雑音を防止する。そのため、防音ソリューションは、追加の費用がほとんどかからない。更に、床ライニングはアパートメント間の音伝達を低減し、プライバシー感覚を向上させる。
【００４０】
例えば、居住環境１００は、様々な利益を果たすように設計された床システム１０２を備えてよい。床システム１０２は、床仕上げ材１６０、下張材１６２、及び任意選択的に床１６０と下張材１６２とを繋ぐ音響減衰床台１６４を備えてよい。床システム１０２は、以下で説明するような、弾性部材又は層（例えば、コルク）を提供する１つ以上の対化の床の層１６６を備えてよい。床システム１０２は、例えば追加の床の層１６６と下張材１６２との間に、バッフル材又は防音材（不図示）を備えてよい。床システム１０２は、振動源（例えば、洗濯機などの振動する電化製品）を音響的に隔離する材料のパッド又はシート（不図示）を上記に加えて、あるいは上記に代えて備えてよい。床システム１０２は、人が倒れた場合に受ける力を軽減するように特化して設計された衝撃耐性工学又は部品を上記に加えて、あるいは上記に代えて備えてよい。
【００４１】
床システム１０２は、足音及び他の振動を吸収するように意図された非毒性天然材料を用い、室外又は室内の音からの隔離を提供する。
【００４２】
また、例えば、居住環境１００は、音響減衰を果たすように設計された壁システム１０４を備えてよい。壁システム１０４は、弾性チャネル１６８、二重壁材又はシートロック１７０、ダブルスタッド１７２、及び音伝達を軽減するように設計された防音材を備えてよい。弾性チャネル１６８は、振動の伝達を軽減するために二重壁材又はシートロック１７０とダブルスタッド１７２とを弾性的に連結する。
【００４３】
別の例として、居住環境１００は、音響減衰ドア１０８を用いてよい。例えば、ドア枠に密閉する頑丈なオークドアは、上質な構成の壁と同等に音の軽減を果たしうる。
【００４４】
更なる例として、居住環境１００は、音響減衰窓１１０を用いてよい。例えば、間に真空又はレアアースガスが密封された三重ガラス窓１１０は、室外からの音伝達を軽減しうる。
【００４５】
また別の例として、居住環境１００は、音響減衰膨化防音材１７４を用いてよい。例えば、金属管路によって伝達する音を軽減するために、水道管（不図示）及び通風ダクト１７６の周囲に音響減衰材１７４の非毒性断熱材が巻かれうる。
【００４６】
床の健康影響は、増え続けている研究の焦点となりつつある。研究により、弾性又は緩衝作用が一切ない面に連続した期間立っていることにより、筋肉は絶えず屈曲した状態にさせられることが示されている。それによって血液の循環が滞り、姿勢が悪くなり、腰椎部の痛みが生じ整形外科系の病気を招くことがある。クッション性の有るマットは、関節への衝撃を軽減し、筋肉の弛緩を促す。
【００４７】
居住環境１００は、良好な血液循環及び良い姿勢の促進を含む数々の利益を実現するために、クッションが張られた床システム１０２を用いてよい。その結果、関節の痛み、不快感、及び低エネルギーの報告が少なくなりうる。更に、柔軟な面に立つことにより、足底の筋膜炎を招く危険性を軽減し、既にその症状に苦しんでいる人の症状を緩和することができる。床システム１０２は、足裏の快適さを可能にするために十分に柔軟であり又は弾力を有しつつ、腰部をより良く支えるために十分に堅固でなければならない。床システム１０２は、たわみの増加による衝撃から生じる力を軽減するために例えば層１６６の下のコルクを伴う浮き構造から成る。
【００４８】
リフレクソロジーは、様々な病気の症状を緩和することを目的とした伝統的なマッサージ手法である。実施者は、張り及び緊張を軽減するために手足の特定の部分への刺激を用いる。リフレクソロジーの実践は、血圧及び脈拍数の下降を伴う多大な不安の軽減をもたらすという証拠が示された。居住環境１００は、リフレクソロジー療法を促進することによって血液循環及び健康状態全般を改善するように設計された、加工された床仕上げ材１７８による、特別仕様の通路（例えば、浴室通路）を用いてよい。
【００４９】
面積が広いことにより、床の仕上げは、しばしばＶＯＣの主原因になりうる。居住環境１００は、有害な室内空気の汚染物質及び揮発性有機化合物の放出を軽減するように選択された天然床材を用いる。
【００５０】
電磁場（ＥＭＦ）は、荷電粒子が動いている時、生成される。ケーブル及び電化製品を通る電荷の動きが電磁場を生成する。電界の強度は、電圧（例えば、一世帯につき通常１２０Ｖ）に依存し、電化製品が使用中であるか否かに関わらず、送電線付近に存在する。研究により、ＥＭＦへの長期間の著しい職業被ばくは、アルツハイマー病及び乳癌の両方の危険性を高めうることが示されている。
【００５１】
そのため、ＥＭＦシールドが居住環境１００内に組み込まれる。ＥＭＦシールドは、伝導性材料又は磁気材料で構成された障壁を生成することによって電磁場の拡散を遮断するように設計される。ＥＭＦシールドは、従来は固体金属によって製造されていたが、これは、重さ、腐食、可鍛性の問題を示す。電磁波長よりも小さい穴を有する加工金属メッシュ又はスクリーンは、より実用的な解決策を提供しうる。
【００５２】
従って、例えば居住環境１００は、配線のためのＥＭＦシールドを備えてよい。特に、配線は、居住環境１００の居住部分からＥＭＦを遮蔽するように設計されたホイルラップを用いて遮断されうる。また例えば、低ＥＭＦの電気配線が用いられうる。
【００５３】
別の受動的手法は、細菌又は病原体の存在を軽減又は除去するために抗菌又は抗病原体（すなわち、「処理された」）材料を利用する。抗菌又は抗病原体材料は、寝具類（例えば、シーツ、ベッドカバー、スロー、枕、枕カバー）１８０、窓遮蔽物（例えば、ドレープ、シェード、カーテン）１５０及び／又は表面（例えば、カウンター１８１、浴槽又は洗い場１２２、テーブル表面１２０、壁１０４）に組み込まれるか、あるいは付着される。例えば、様々な材料が、抗菌又は抗病原体材料によって含浸又は被覆されうる。それらの材料は、約１ミクロンの穴すなわち孔径を有してよく、様々な望ましくない粒子の侵入に対する効果的なバリアを提供する。寝具類のあらゆる縫い目は密閉されなければならない。少なくとも寝具類の場合、それらの材料は、マットレス、ベッドスプリング、枕、及び／又は掛け布団を完全に包み覆うことが望ましい。それによって、トコジラミ、アレルギー源、及び／又は塵性ダニからの保護が提供されうる。
【００５４】
適切な材料の例は、様々な病原体に対して効果的であることが判明しているイオン形の銀（Ａｇ）を含みうる。上記に加えて、あるいは上記に代えて、例えばシラン四級アンモニウム化合物及び／又はピリチオン亜鉛などの他の非毒性抗菌物質が用いられうる。
【００５５】
化学製品又は洗浄を過剰に利用せずに病原体及び毒素の危険性を軽減するために、下記の設備は、健康的な環境を維持するために必要な労力を少なくする。
【００５６】
更なる例として、二酸化チタンナノ粒子は、環境露光を動力源として自浄式表面を生成する光触媒によって大気汚染物質を低減する効果的な手段として台頭してきた。例えば、ナノ粒子は、ＶＯＣを無害な二酸化炭素に変化させる反応を触媒しうる。それらは、光に当たると細菌、ウイルス、及びＶＯＣを分解するために壁表面に用いられうる光触媒塗料に含まれうる。
【００５７】
居住環境１００は、構造材料として抗菌又は抗病原体材料を含んでよい。例えば、シダーがクロゼット内で利用され及び／又は幅木として用いられうる。特定の種類のシダーは、天然の害虫防除として作用し、多くの虫を寄せ付けない。シダー材に存在する油分は、菌類（例えば、カビ）、細菌、昆虫、シロアリ、及びダニを寄せ付けないことが示されてきた。
【００５８】
ベッド１１６及び関連する寝具は、様々な方法でウェルネスを増進するように設計されうる。
【００５９】
マットレスには主に５つの種類がある。スプリング入り、フォーム材、ラテックス、エア、ウォーター、及び布団である。それらの種類の各々の中でほぼ全ての考えられる測定基準におけるバリエーションが存在し、実際には実用不可能なものに至るまで、睡眠及び筋骨格の健康に関する十分な研究レベルの臨床データを作成している。オンラインの調査により、形状記憶フォーム材マットレス、ラテックスマットレス、及びエアマットレスの利用者満足度（７８〜８１％）は、スプリング入りの利用者満足度（６２％）に比べて高いことが示されている。利用者満足度は、多数の様々な測定基準に基づいていた。しかしこれらの平均値は、スプリング入りは睡眠の質の大幅な改善を導くことができるという所与の臨床報告を条件として付けなければならない。更に、フォーム材マットレスに換えると激しい背中の痛みが生じ、通常の綿マットレスに戻すとそれはほぼ緩和されたことが観察されている。しかし、高品質のスプリング入りマットレス及び独特のフォーム材支持マットレスの両方で眠った人間は、不眠症に関連する１つの睡眠質測定基準がフォーム材マットレスで睡眠する人に関して著しく低減し、より良い回復を示すことも観察された。
【００６０】
上記の研究結果の矛盾は、マットレスの種類と、被験者間の人類学的測定基準のバリエーションとの多様な相互作用を示している。従って、幅広く定められた分類によってマットレスを比較することは、性能ベースのマットレス品質（例えば、固さ）と測定可能な健康状態の反応との関係を研究することに比べて役に立たない。
【００６１】
マットレスは、脊椎の回復及び睡眠の質という健康の２つの重要な側面に影響を与えることが分かっている。
【００６２】
脊椎の健康及び睡眠の品質に影響を与えると信じられる、最も分かり易く最も研究されているマットレス特性の１つは、全体の固さである。マットレスの固さ及び睡眠の質を研究している限られた数の科学報告は、ほとんどが、マットレスは固すぎても柔らかすぎてもならないという点に賛同しているようである。既存のマットレスを新しい「中間の固さの」ものに取り換えた結果、身体の痛み、睡眠の快適さ、及び睡眠の質が大幅に改善することが観察されてきた。また、慢性かつ非特異性の腰部の痛みを有する患者の場合、中間の固さのマットレスは、固いマットレスと比べて、痛みに関する障害を軽減することも観察されてきた。更に、柔らかすぎるマットレス及び固すぎるマットレスは痛み及び睡眠の悪化に関連するが、中間の範囲の固さレベルの中でも個人の睡眠の質の反応には多くのバリエーションが存在する。更に、固い面において、人は、おそらく肩及び骨盤が表面に沈み込むことができない場合に横曲げになるのを避けるために、横向きとうつ伏せの間の姿勢をとったことも観察されてきた。この曲がり方は柔らかい表面上の場合と比べて極端ではないが、骨盤がマットレスに深く沈み込むと、固いマットレスの場合よりも前額面において背骨は更に曲がる。
【００６３】
多くの睡眠の研究において、背骨の配列と、面圧と、睡眠の質とは、実際的に互いに関連があると想定される。しかしこれは、非常に短絡的な想定である可能性がある。ある研究では、男性の集団において４つの「最高級の」マットレスを評価するために、面圧と背骨の配列との両方を測定した。この研究は、マットレス間の著しい差を報告したが、その結果のパターンは首尾一貫していなかった。最も高い最大面圧を有するマットレスが背骨のゆがみを最も引き起こさない傾向にあった。睡眠における影響は、研究に含まれなかった。興味深いことに、別の研究により、中間より上の固さレベルにおいて背骨の配列が最も良くなることが示された。ある研究は、「快適でない」マットレスに比べて「快適な」マットレスの場合に著しく深い除波睡眠（ＳＷＳ）及び高い睡眠効果を伴うという睡眠構造における差を発見した。しかしこの研究は、「快適である」及び「快適でない」ことの意味を説明する量的な特性を提供しなかった。これらの研究は、低い最大圧力を示すこと及び背骨のゆがみを最小にすることというマットレスの２つの主目的が、実際は、相反する目的であることを提示する。圧力分散は、寝たきりの患者の圧迫損傷を予防するための主要な関心事であるが、健康な人々の場合は、圧力ピークの集中を避けるだけで十分である。従って、専門家は一般に、背骨がニュートラルな位置で延びた状態に保たれるような睡眠姿勢を優先する傾向にある。睡眠は、身体の筋肉及び椎間板を日中の継続的な負荷から回復させるために不可欠である。椎間板（ＩＶＤ）の体積は夜間に２０〜２５％増加し、翌日に向けて重力による圧縮を支えるための椎間板の機能を再生させ、脊椎に栄養を送る。この過程は、背骨がニュートラルな位置に保たれた場合、最も効果的である。背骨の健康と（単なる時間ではない）睡眠の質とが本質的に関係している可能性もある。レム段階及びノンレム段階が、睡眠中の効果的なＩＶＤの減圧における重要かつおそらく相補的な役割を果たすという仮説が立てられている。
【００６４】
うつ伏せ（腹臥位）、横向き（側臥位）、及び仰向け（背臥位）という主に３つの睡眠姿勢がある。多くの研究が、各々に関連する様々な睡眠効果を分析したが、マットレスの種類がどのように様々な睡眠姿勢に影響するかという分析を行った研究はほとんどない。サギングスプリングマットレス及びカスタム可能なエアチャンバマットレスの２種類のベッドに関して睡眠の質及び背骨の配列が研究された際、２種類のベッドの間の差が報告されなかった腹を上にして眠る人に比べて、うつ伏せで眠る人は、サギングベッドによってより悪い影響を与えられることに加え、カスタム可能なエアチャンバベッドに切り替えると睡眠の質がより顕著に向上することが分かった。
【００６５】
睡眠姿勢の考察は、眠っている人はすべて、夜の間に何回か姿勢を変えるという事実によって更に複雑となる。実際、この自然な姿勢変動は、健康な睡眠の重要な特徴であると考えられる。しかし、睡眠時の動きの理想的な量は分かっていない。１つの研究は、数回の動き及び姿勢の変化は通常であるが、比較的激しく乱れる睡眠は、報告された悪い睡眠の質に関連することを示した。更に、様々な睡眠姿勢の平均的な比率は、年齢による変化が推測されるという証拠がある。子供の場合は、うつ伏せ、仰向け、及び横向きの姿勢が睡眠時間のうち等しい比率を占めると推測されたが、年齢とともにうつ伏せの姿勢は着実に顕著に見られなくなり、年配者の場合は右横向きが好まれる。
【００６６】
主に横向きで眠る人と、下肩部及び背中の痛みとの関連性が観察されてきた。しかし、この関連性は、必ずしも睡眠姿勢が背中の痛みの主原因であることを示すものではなく、背中及び／又は肩の痛みを有する者は、痛みの種類によって、自然にうつ伏せ又は仰向けの姿勢を取る可能性があることも考えられる。しかしながら、ある人の自然な睡眠姿勢を仰向け又はうつ伏せから横向きに変化させるマットレスを観察した場合、それは睡眠の質を改善しうる。
【００６７】
個人の生理とマットレス性能との複雑な相互作用を考慮すると、人が、自身のための最適なマットレスを選択することは不可能であっても不思議ではない。顧客が１５分間の評価でベッドの快適さを査定することができても、彼らは、後に起床時の身体の痛み及び凝りを軽減し、睡眠の質及び日中のエネルギーレベルを最適化するようになるマットレスの種類を正しく選択していない。
【００６８】
多くのマットレス研究の結果、異常に柔らかい又は固いマットレスは中間の固さのマットレスに比べて平均的に良くないことが提示されるが、個人の起床時の痛みを軽減し睡眠の質を最適化するために必要なマットレスの固さの度合いには大幅なばらつきがある。個人間でのマットレスの効能における差異は、マットレスの固さ、及びおそらくはニュートラルな背骨を維持する目的さえ、問題を過度に単純化している可能性があることを示す。様々なマットレス品質と、例えば体重、身長、ＢＭＩ、及び好みの睡眠姿勢などの生理学的計測との相互作用は全て、個人間の観察された背骨のゆがみ、圧力分散、及び睡眠の質に寄与する。
【００６９】
姿勢のタイプにおける多大な個人差、人体計測、及び最初の快適さの評価と客観的な睡眠計測との乏しい関連性を仮定すると、様々なマットレス構造に関する、背骨の配列、圧力分散、及び理想的には睡眠の質に関する性能の個人的な客観的評価へのニーズが明らかとなる。従って、姿勢の変化を検出し、第２段階において、とった姿勢の各々について背骨の支持を最適化するように力学的性質を能動的に変化させることができる睡眠システム、要するに「能動的」睡眠システムが想定されうる。しかし、そのような長所には特有の費用及び非効率性があるので、可能な限り最適なマットレス構成を予測するための人体計測測定基準を用いることがより実用的となりうる。あるいは、例えば浮き袋部分を有するエアマットレス、又はカスタム可能な固さの「ゾーン」を有する内部スプリングのように、体重分散に基づいて自動的に調整するように設計されたマットレスは、性能を十分に測定するための高度な睡眠監視分析を必要としないことがある。
【００７０】
温度は、睡眠の質に寄与する別の重要な因子である。形状記憶フォーム材は特に熱を吸収及び保持する傾向があり、これは睡眠を妨害しうる。睡眠と体温調節との間には強力な関連性があることが観察されてきた。人間の中心部の体温は、自然に２４時間の周期を成し、２４時間周期のリズム及び睡眠起床サイクルと関連している。入眠前及び睡眠中、末梢血液循環が良くなることによって肌表面の体温は上がり中心部の体温は下がる。睡眠中に弱い熱に晒されるだけでも覚醒状態を増長し、レム睡眠及び除波睡眠を減少させうる。湿度の高い熱に晒されると覚醒状態は更に増長され、レム及びＳＷＳは減少し、中心部の体温の低下が過剰に抑圧される。温度感覚は、年齢及び地域条件への順応に多大に依存する。一般に、汗をかいていない時間が長いほど、目立った睡眠の乱れは回避される。
【００７１】
多くのマットレスは、呼吸器疾患及び肌の炎症を引き起こすことで知られる化学物質を含有することがある。揮発性有機化合物（ＶＯＣ）は、目、鼻、及び喉の炎症、頭痛、吐き気、肝臓、腎臓、及び中枢神経系の損傷を含む、複数の長期及び短期の健康への悪影響に関連する放出ガスである。
【００７２】
従来、石油から作製されるフォーム材マットレスは、最大６１の異なるＶＯＣを含有することがある。有毒な化学物質は、マットレスの中心部、詰め物、難燃性材料、カバー、又は接合部において発見されうる。非石油系マットレスでさえ、有毒な化学物質を含みうる。多くの種類のマットレスで未だ見つかるホルムアルデヒド、ベンゼンは、ＥＰＡによって、人に対する発癌性物質となる可能性が高いとして規制されている。多くのマットレス製造元は、アンチモン、ビニル、ポリウレタン、及び他のＶＯＣ；ビニルカバー；防水加工のための特許製法、難燃性又は抗菌化学物質を含む、１つ以上の懸念される化学物質を用いる。一部の製造業者は「グリーン」成分を提供するが、それらは、全ての有毒な化学物質を排除した製品を保証するための有意義な一歩とはなっていないようである。更に、マットレス製造業者のうちのほんの一部しか、潜在的なアレルギー源を避けていない。
【００７３】
６つのブランドの防水加工ベッド用マットレスに１時間触れさせたマウスは、感覚刺激、肺炎症、及び気流の低下の様々な併発を引き起こした。ガスクロマトグラフィは、喘息などの反応を含む様々な急性中毒作用を引き起こすことが知られる化学物質の混合物をマットレスが放出したことを示した。
【００７４】
マットレスの主要な一流ブランドは、どの難燃性化学物質を用いているかを公表せず、それらは企業秘密であると主張している。従来のフォーム材マットレスから「オフガス」臭がするという苦情は未だに多くあり、それは数週間継続しうる。
【００７５】
従って、アレルギーに影響を及ぼす又は更に重い健康リスクをもたらすあらゆる有毒ガスを最小限にする又は含まない特定のブランド及びマットレスの種類を選択することが重要である。
【００７６】
イエダニ（ＨＤＭ）アレルギー源に触れ、かつ敏感になることは、喘息が発生する重要なリスク要因として世界の大部分で証明されてきた。イエダニに触れる量は、アレルギーを発生させるリスクを増加させ、一度アレルギー反応が生じると、反応の重症度を高める。喘息の症状は、イエダニを含む高いレベルのアレルギー源に触れる患者において、より重症である。
【００７７】
マットレスカバー及び材料に加えて、設計も重要な役割を担う。マットレスの内側及び外側両方の表面積が小さいほど、埃が溜まる空間が少なくなり、塵性ダニの総数を減らす。内部全体にある程度の通気が可能なマットレスも、埃及びかびを留まらせる湿気の発生を軽減しうる。
【００７８】
マットレスの耐久性及び寿命は、取り替えに要する費用を低減するため、及び予想される寿命の間中最適な性能を保証するために重要である。エアベッドは、耐久性が低いが、寿命は長い傾向にある。この理由は、エアベッドを支持するエアポンプは機能低下及び損傷しうるからであり、その問題を解消すれば、エアマットレス内の材料は最長で１０年間もつことができる。ラテックスマットレスも、平均約７年間の長い寿命を有することが知られている。形状記憶フォーム材は平均約６年間、布団及びスプリング入りマットレスは５年以上持つことは少ない。
【００７９】
ほとんどの人は夜間の睡眠時に枕を用いるので、枕は背骨の配列において重要な事柄である。一部の人は枕を用いない方が快適であることは真実であるが、それは、マットレスタイプ、身体のタイプ、及び睡眠姿勢に依存して、枕を用いる場合よりも悪い又は良い背骨の配列の原因になりうる。実際、枕は、様々な種類の睡眠者のニーズを満たすために特別に設計されている。例えば、抱き枕、膝用枕、人間工学的頭用枕などが市販されている。
【００８０】
マットレス及び／又は寝具の選択を容易にするために格付けシステムが用いられうる。格付けシステムは３つのカテゴリを含み、安い方から高い方の順に１）基本認証、２）シルバー認証、３）ゴールド認証と呼ばれる。
【００８１】
例えば、基本認証を得るための固さ及び背骨支持について、フォーム材マットレスは、１３〜１６のＩＬＤ等級、３〜４インチの厚み、及び平方フィート辺り３から５ポンドの密度を有さなければならない。一方、基本認証を得るためにスプリング入りマットレスは、少なくとも８００ポケットスプリングのコイル密度を有さなければならず、フォームエッジサポートの特徴がなければならない。シルバー認証を得るためには、フォーム材マットレスは、１３〜１６のＩＬＤ等級、３〜４インチの厚み、及び少なくとも平方フィート辺り５ポンドの密度を有さなければならない。シルバー認証を得るために、スプリング入りマットレスは、少なくとも９００リニアポケットスプリングのコイル密度、フォームエッジサポートを有し、更に、肩、ウエスト、臀部及び両脚の位置によって分かれた少なくとも５つの区分ゾーンを有さなければならない。スプリング入りマットレスは、肩及び臀部のゾーンにおいて１５〜３０％柔らかいリニアポケットスプリングを有さなければならない。一方、シルバー認証を得るために、エアマットレスは、１０００〜４０００Ｐａで調整可能な内圧を有さなければならない。
【００８２】
また、例えば毒性に関して、基本認証を得るためには、マットレスは、ＣｅｒｔｉＰＵＲ−ＵＳ認証の全てのセクションに準拠しなければならない。シルバー認証を得るためには、マットレスが、ＯＥＫＯ−Ｔｅｘ１００のテスト基準（リミット１値）の最も厳しい認証等級に準拠しなければならず、ＣｅｒｉＰＵＲ−ＵＳのレベルが厳しくなると、マットレスはそれらのより厳しい基準を満たさなければならない。ゴールド認証を得るためには、マットレスは、ＶＯＣ総発生量が０．００１ｐｐｍ以下である必要がある。
【００８３】
また、例えば喘息及びアレルギーに関して、基本認証を得るために、マットレスは、外側表面に溝、ポケット、くぼみがないように構成されなければならない。シルバー認証を得るためには、マットレスは、羊毛及び天然ラテックスを含む全てのアレルギー源となる可能性のある素材を用いてはならない。
【００８４】
また、例えば温度調節に関して、基本認証を得るために、フォーム材マットレスは、通気層を有さなければならない。シルバー認証を得るためには、マットレスは、標準圧力、２５度の周囲温度、及び５０％の相対湿度において、マットレス表面とそれに３０分以上触れた人肌との間に６０％未満の湿度レベルを維持するために十分な通気性を有さなければならない。
【００８５】
少なくとも能動部品の機能又は動作を制御する能力は、居住環境１００において提供される快適性及び利益を実現するために役立ちうる。従って、複数のユーザ操作型入力／出力（Ｉ／Ｏ）装置、制御装置、パネル、又はキオスク１８２が提供されうる。
【００８６】
例えば、室内ユーザ操作型Ｉ／Ｏパネル１８２ａは、情報を表示するためのディスプレイ（例えば、ＬＣＤ）を備えてよい。室内ユーザ操作型Ｉ／Ｏパネル１８２ａは、例えば居住環境１００の居住者などのユーザが、居住環境１００の環境特性のうちの１つ以上を制御するために実行するパラメータ又はプログラムを選択することができる、ユーザ駆動型制御装置（例えば、タッチスクリーン上に表示されたユーザが選択可能なアイコン、キー、ボタン）の操作部を含みうる。
【００８７】
また例えば、モバイル又はハンドヘルド装置１８２ｂはＩ／Ｏ装置として機能しうる。モバイル又はハンドヘルド装置１８２ｂは、情報を表示するためのディスプレイ（例えば、ＬＣＤ）、及び、例えば居住環境１００の居住者などのユーザが、居住環境１００の環境特性のうちの１つ以上を制御するために実行するパラメータ又はプログラムを選択することができる、ユーザ駆動型制御装置（例えば、ユーザが選択可能なアイコン、キー、ボタン）操作部を含みうる。モバイル又はハンドヘルド装置１８２ｂは、例えば居住者などのエンドユーザによって所有されうる。モバイル又はハンドヘルド装置１８２ｂは、無線プロトコル（例えば、ＩＥＥＥ８０２．１１、ブルートゥース（登録商標）、ＷＩ−ＦＩ（登録商標））を介して通信可能にインタフェース接続する、ダウンロードされたカスタムアプリケーション、すなわち「アプリ」を実行しうる。
【００８８】
上記に代えて又は上記に加えて、遠隔ユーザ操作型Ｉ／Ｏ制御装置、パネル、又はキオスク１８２ｃ（図２）は、情報を表示するためのディスプレイ（例えば、ＬＣＤ）を備えてよい。遠隔ユーザ操作型Ｉ／Ｏ制御装置、パネル、又はキオスク１８２ｃは、居住環境１００が所在する施設の職員などのユーザが、居住環境１００の環境特性のうちの１つ以上を制御するために実行するパラメータ又はプログラムを選択することができる、ユーザ駆動型制御装置（例えば、タッチスクリーン上に表示されたユーザが選択可能なアイコン、キー、ボタン）操作部を備えてよい。
【００８９】
居住環境１００におけるウェルネスシステムによって与えられる快適性及び利益に関する情報は、それらの利益を実現するために役立ちうる。情報は、サーバを介して提供され、様々な装置を介して提示されうる。例えば、情報は、テレビ１８４の例えば専用チャンネル、室内ディスプレイ又はその他ディスプレイ、パネル又はキオスク１８２ａ、ハンドヘルド装置１８２ｂなどを介して提示されうる。
システム及びサブシステム
【００９０】
図２は、例示された一実施形態に係る、居住環境１００（図１）の環境特性を制御するための環境制御システム２００の能動部分を示す。図２は、図１に示す構成部品のうちいくつかの更に詳しい説明を提供する。
【００９１】
環境制御システム２００の能動部分は、複数のサブシステムを備える。例えば、能動部分は、制御サブシステム２０２、照明サブシステム２０４、水処理サブシステム２０６、空気処理サブシステム２０８、香りサブシステム２１０、音響サブシステム２１２、入力／出力（Ｉ／Ｏ）サブシステム２１４を備えてよい。能動部分は、衛生サブシステム２１６を任意選択的に含んでよく、それらは以下で説明するように、居住環境１００に造り付け、すなわち造作であるか、あるいは持ち運び可能であり使用中のみ居住環境１００内に置かれるかのいずれでもよい。サブシステム２０２〜２１６及び／又はそれらの構成部品の各々が、図２を参照して以下で説明される。サブシステム２０２〜２１６及び／又はそれらの構成部品のうち多くの動作は、図３〜１０を参照して以下で説明する。
【００９２】
制御サブシステム２０２は、プログラムされたコンピュータ又は他のプロセッサベースのシステム又は装置の形式であってよい。例えば制御サブシステム２０２は、従来のメインフレームコンピュータ、小型コンピュータ、ワークステーションコンピュータ、パーソナルコンピュータ（デスクトップ又はラップトップ）、又はハンドヘルドコンピュータの形式であってよい。
【００９３】
制御サブシステム２０２は、１つ以上の処理ユニット２２０（１つが図示される）、非一時的システムメモリ２２２ａ〜２２２ｂ（集合的に２２２として示す）、及び、システムメモリ２２２を備えるシステム部品と処理ユニット２２０とを接続するシステムバス２２４を備えてよい。処理ユニット２２０は、例えば１つ以上の中央処理ユニット（ＣＰＵ）、デジタル信号プロセッサ（ＤＳＰ）、特定用途向け集積回路（ＡＳＩＣ）、フィールドプログラマブルゲートアレイ（ＦＰＧＡ）、プログラマブル論理制御器（ＰＬＣ）などの任意の論理処理ユニットであってよい。市販のコンピュータシステムの非限定的例は、それらに限定はされないが、米国のインテル社による８０×８６、ペンティアム（登録商標）、又はｉ７シリーズのマイクロプロセッサ、ＩＢＭ社によるパワーＰＣ、サンマイクロシステム社によるスパークマイクロプロセッサ、ヒューレット・パッカード社によるＰＡ−ＲＩＳＣシリーズのマイクロプロセッサ、又はモトローラ社による６８ｘｘｘシリーズのマイクロプロセッサを備える。システムバス２２４は、メモリコントローラを有するメモリバス、周辺機器バス、及びローカルバスを含む、あらゆる周知のバス構成又は構造を用いることができる。システムメモリ２２２は、非一時的フラッシュ又は読取専用メモリ（「ＲＯＭ」）２２２ａ及び非一時的ランダムアクセスメモリ（「ＲＡＭ」）２２２ｂを備える。ＲＯＭ２２２ａ又はＲＡＭ２２２ｂの一部を形成しうる基本Ｉ／Ｏシステム（「ＢＩＯＳ」）２２６ａは、例えば起動時、制御サブシステム２０２の構成要素間で情報を伝送するために役立つ基本ルーチンを含む。
【００９４】
制御サブシステム２０２は、ハードディスク２２８ｂからの読取り及びそこへの書入れのためのハードディスクドライブ２２８ａ、消去可能光学ディスク２３０ｂからの読取り及びそこへの書入れのための光学ディスクドライブ２３０ａ、及び／又は磁気ディスク２３２ｂからの読取り及びそこへの書入れのための磁気ディスクドライブ２３２ａを備えてよい。光学ディスク２３０ｂは、ＣＤ／ＤＶＤ−ＲＯＭであってよく、磁気ディスク２３２ｂは、磁気フロッピー（登録商標）ディスク又はディスケットであってよい。ハードディスクドライブ２２８ａ、光学ディスクドライブ２３０ａ、及び磁気ディスクドライブ２３２ａは、システムバス２２４を介して処理ユニット２２０と通信しうる。ハードディスクドライブ２３０ａ、光学ディスクドライブ２３０ａ、及び磁気ディスクドライブ２３２ａは、当業者には周知であるように、それらドライブとシステムバス２２４との間に接続されるインタフェース又はコントローラ（不図示）を備えてよい。ドライブ２２８ａ，２３０ａ，２３２ａ、及びそれらの関連するコンピュータ読取可能記憶媒体２２８ｂ，２３０ｂ，２３２ｂは、コンピュータ読取可能命令、データ構成、プログラムエンジン、及び環境制御システム２００に関する他のデータの不揮発性かつ非一時的の記憶を提供しうる。制御サブシステム２０２は、ハードディスク２２８ａ、光学ディスク２３０ａ、及び磁気ディスク２３２ａを用いるように示されたが、当業者は、例えば磁気カセット、フラッシュメモリ、デジタルビデオディスク（「ＤＶＤ」）、ベルヌーイカートリッジ、ＲＡＭ、ＲＯＭ、スマートカードなどの、コンピュータによってアクセス可能なデータを記憶することができる他の種類のコンピュータ又はプロセッサ読取可能記憶媒体が用いられうることを理解するであろう。ハードディスク２２８ａは、例えば、居住者のウェルネス又は健康状態を促進する環境特性を提供するために、例えば居住環境１００（図１）の居住者の固有の態様又は特性に基づいて他のサブシステムを制御するための命令及びデータを記憶してよい。ハードディスク２２８ａは例えば、能動及び受動部品又は測定器によって提供された様々な属性及び利益に関する情報を提示するための命令及びデータ、及び快楽、快適性、及び健康状態を最大にするために環境制御システム２００及び受動部品をどのように用いるかに関する命令を記憶してよい。
【００９５】
プログラムエンジンは、例えばオペレーティングシステム２３６、１つ以上のアプリケーションプログラム２３８、他のプログラム又はエンジン及びプログラムデータなどのシステムメモリ２２２ｂ内に記憶されうる。アプリケーションプログラム２３８は、例えば居住者の１つ以上の態様、特性、又は属性に基づいて、居住環境１００（図１）における様々な環境特性を達成するために様々な他のサブシステムを制御する信号をプロセッサ２２０に自動的に生成させる命令を含んでよい。アプリケーションプログラム２３８は、プロセッサ２２０に、様々なユーザ操作型入力／出力（Ｉ／Ｏ）装置、制御装置、パネル、又はキオスク１８２、あるいはテレビ１８４を介して自動的に入力を受け取らせる及び／又は出力を表示させる命令を含んでよい。
【００９６】
他のプログラムエンジン（特に不図示）は、例えばパスワード又は他のアクセス保護及び通信暗号化などのセキュリティを扱うための命令を含んでよい。システムメモリ２２０はまた、例えば、インターネット、企業内イントラネット、エクストラネット、又は他のネットワーク（例えば、ＬＡＮ、ＷＡＮ）、及び本明細書で更に説明されるようなサーバコンピューティングシステム上の他のサーバアプリケーションを介して、他のサブシステム又はコンピュータシステム又は装置へサービスを提供し、それらとデータを交換することを制御サブシステム２０２に許可するためのサーバなどの通信プログラム２４０を含んでよい。例示された実施形態のサーバは、例えばハイパーテキストマークアップ言語（ＨＴＭＬ）、拡張マークアップ言語（ＸＭＬ）、又はワイヤレスマークアップ言語（ＷＭＬ）などのマークアップ言語ベースであってよく、文書の構成を表すために文書のデータに追加された統語的区切り文字を用いるマークアップ言語によって作動しうる。例えばマイクロソフト社、オラクル社、ＩＢＭ社、及びアップル社によるサーバなどの多くのサーバが市販されている。
【００９７】
図２ではシステムメモリ２２２ｂ内に記憶されているように図示されているが、オペレーティングシステム２３６、アプリケーションプログラム２３８、他のプログラム／エンジン、プログラムデータ、及び通信アプリケーション（例えば、サーバ、ブラウザ）２４０は、ハードディスクドライブ２２８ａのハードディスク２２８ｂ、光学ディスクドライブ２３０ａの光学ディスク２３０ｂ、及び／又は磁気ディスクドライブ２３２ａの磁気ディスク２３２ｂに記憶されてもよい。
【００９８】
操作者は、様々なユーザ操作型入力／出力（Ｉ／Ｏ）装置、制御装置、パネル、又はキオスク１８２、又はテレビ１８４を介して、あるいは、例えば専用タッチスクリーン又はキーボード（不図示）及び／又はマウス（不図示）などのポインティング装置によって、及び／又はグラフィカルユーザインタフェースを介して、コマンド及び情報（例えば、設定情報、データ、又は仕様）を制御サブシステム２０２へ入力することができる。他の入力装置は、マイクロフォン、ジョイスティック、ゲームパッド、タブレット、スキャナなどを備えてよい。これらの又はその他の入力装置は、例えばシステムバス２２４に接続するシリアルポートインタフェース２４２などのインタフェースを介して処理ユニット２２０のうちの１つ以上に接続されるが、例えばパラレルポート、ゲームポート、無線インタフェース、又はユニバーサルシリアルバス（ＵＳＢ）などの他のインタフェースも用いられうる。モニタ又はその他のディスプレイ装置は、例えばビデオアダプタ（不図示）などのビデオインタフェースを介してシステムバス２２４に接続される。制御サブシステム２０２は、例えばスピーカ、プリンタなどの他の出力装置を備えてよい。
【００９９】
制御サブシステム２０２は、図１に関連して上述したような１つ以上の遠隔コンピュータ及び／又は装置との論理接続を用いるネットワーク環境で作動することができる。例えば、制御サブシステム２０２は、１つ以上の他のサブシステム２０４〜２１４、１つ以上のサーバコンピュータシステム２４４、及び関連する非一時的データ記憶装置２４６との論理接続を用いるネットワーク環境で作動することができる。サーバコンピュータシステム２４４及び関連する非一時的データ記憶装置２４６は、例えば、居住環境１００（図１）が所在する施設（例えば、ホテル、スパ、アパートメントビル、コンドミニアムビル、病院）によって制御及び操作されうる。通信は、例えば、有線及び無線の企業全体のコンピュータネットワーク、イントラネット、エクストラネット、及びインターネットなどの有線及び／又は無線のネットワークアーキテクチャを介してよい。従って、制御サブシステム２０２は、例えば無線（例えば、本明細書では総称してＲＦ通信と呼ぶ無線又はマイクロ波周波数通信）用の１つ以上のトランシーバ又はラジオ２４８及び関連アンテナ２５０などの無線通信部品を備えてよい。他の実施形態は、テレコミュニケーションネットワーク、セルらネットワーク、ページングネットワーク、及び他のモバイルネットワークを含む他の種類の通信ネットワークを備えてよい。
【０１００】
照明（例えば、電磁スペクトルにおける可視の近赤外（ＮＩＲ）及び／又は近紫外（ＮＵＶ又はＵＶＡ）領域の波長を有する電磁放射又はエネルギー）は、人体の健康に著しく影響しうる。本明細書及び特許請求の範囲において用いられる場合、「照明」又は「光」という用語は、電磁スペクトルの人間に見える部分（例えば、約４００ｎｍ〜約７００ｎｍ）及び見えない部分（例えば、ＮＩＲ又はＵＶＡ）におけるエネルギーを含む。光は、多数の知らないうちに人体に影響する。代謝作用は、メラトニン及び内分泌系を介して日々の太陽周期に深く関連付いている。人体におけるこの周期は、日周リズムと呼ばれる。人間及び動物は、継続した闇の中でさえ、地球の毎日の太陽周期に一致する約２４時間周期に身体を維持する体内時計を有する。覚醒の期間から消化効率に至るまで多くの身体作用は、目から受け取る光の強度及び色彩によって部分的に規則正しく調整されている。しかし、光は、人間を地球の毎日の太陽周期に合わせるために、この体内タイミングを調整する。直射日光の光の強度に相当する光に晒されることは、交代制勤務や長距離旅行によって日周リズムが狂った場合にそれをリセットすることを助ける。
【０１０１】
光の強度及び色彩は、身体の様々な器官に影響する。例えば青色光は、眠りを誘発するために用いられる化学伝達物質であるメラトニンを生成する身体機能を妨げる。日没後の強い光は睡眠を遅らせ、朝の光は起床を促す。適切な明るさ及び色彩の光は、日中の注意力及び集中力にも寄与する。メラトニンは天然の抗酸化物質であり、フリーラジカルの発癌性傾向を中和する。その結果、明るい光に不適切に晒されることによるメラトニンの減少により、癌の危険性が高まる。昼間の明るい光及び夕食時の薄暗い光は、炭水化物の消化を助ける。
【０１０２】
更に、多くの人が、例えば季節的情動障害（ＳＡＤ）などの光に関連する気分のむらに苦しんでいる。特定の種類の光を特定の時間に適切に浴びることは、それらの気分のむらに対処する。夜明けを通して緩やかに明るくなる光を朝に浴びるシミュレーションにより、憂鬱を軽減させることが示された。日光は、視力の健やかな発達を助ける。子供の近視は、日光に晒されている量が少ないこと及び薄暗い人工の光への高い依存度との関連性がある。加齢による黄斑変性症、又は加齢による視力の低下は、特に青色の目の老人の場合、高い色温度に晒されるのを減らすことによって軽減することができる。
【０１０３】
照明サブシステム２０４は、局所的な光能動物質を用いて又は用いずに、光療法を提供するように制御されることもある。それらは、例えば、季節的情動障害（ＳＡＤ）などの様々な不調を治療するために用いられうる。高緯度地域に居住している人々はしばしば、長期の日光の減少の結果、ＳＡＤとみなされる不調である冬季性鬱を経験する。ＳＡＤにかかっているそれらの人々の場合、冬季の睡眠効果の測定値が夏季のそれと著しく異なっている。光療法は、ＳＡＤの治療に特に効果があり、薬物による治療と同等の結果を生むことがある。
【０１０４】
一般に「時差ぼけ」と称される別の不調又は症候は、日周リズムと毎日の太陽周期との相対的なずれによって生じる。その影響は、睡眠の乱れ、及び、気分、集中力、及び認識能力における著しい低下である。太陽周期と日周光周期とを合わせる助けとなるように制御された光に晒されることは、それらの症状の緩和を促進することができる。
【０１０５】
一部の人において、身体によるメラトニンの生成又は反応は、太陽周期に関連してわずかに変化し、その結果、睡眠相後退症候群（ＤＳＰＳ）とみなされる一通りの症状が生じる。全ての青年男女の約１０分の１及び一部の成人は、自身が従来の就寝時間より２から６時間後に入眠すると認識している。特に悩んでいずとも、それらの人々は、昼間起きている時間の約８時間前に深く眠ることになる。制御された光は、ＤＳＰＳの治療に役立ちうる。
【０１０６】
最近の研究により、人体が光スペクトルの異なる部分に晒されると、異なる脳の働きが発生することが示されている。色彩は、異なる種類のタスクを行う人の能力に潜在意識から影響を及ぼしうる。例えば、ある研究では、参加者は、赤色の光では分析的なタスクをより適切に実行し、青色の環境ではより創造的であった。
【０１０７】
職場環境での研究により、明るい色彩のオフィスにいる者は、落ち着いた色又は中間色の環境にいる者と比べて高い数値の情緒状態を有したことが分かった。一方、強い色彩は一定の人々を苛立たせうることが研究によって示されている。色彩療法は、個人の好みによって気分を効果的に操るものとして、特定の波長又は波長の組み合わせの照明を用いる。実施者は、例えば薬物療法、瞑想、直感、発言、神経過敏、及び不安などの事柄に対処するためにこの両方を用いる。
【０１０８】
照明サブシステム２０４は、色彩療法を提供するために、居住環境１００（図１）及びその一部の全体の動的な彩色カスタムを提供するように操作されうる。更に、居住環境１００（図１）は、異なる設定及び時間帯に関して所望の光スペクトルを生成するために色彩を動的に変化させる光によって（例えば、カバーライト又は壁付け照明によって）着色される壁の形式の色彩療法壁彩色を任意選択的に用いてよい。追加または代替として、例えば瞑想空間及びスチームシャワーなどの、着色された光が望まれる特定のエリアに色彩療法照明が追加されうる。
【０１０９】
以下で説明する照明サブシステム２０４は、日周リズムの乱れを予防及び改善し、いくつかの属性の中で自然な睡眠周期及び目の健全な発育を含む健康を改善し、様々な不調、症候、及び／又は苦痛の症状を治療又は緩和するために用いられる。照明サブシステム２０４は、例えば、居住環境１００（図１）又はその一部の居住者又は滞在客に、光療法を提供する一部として患者が起きている間に治療の効果のために短期間の強い人工光を浴びさせてよい。
【０１１０】
照明サブシステム２０４は、居住環境１００（図１）において所望の照明を提供するために協働する、人工照明サブシステム２０４ａ及び自然照明サブシステム２０４ｂを備える。特に、照明サブシステム２０４は、例えば日周リズムを改善するために、段階的に調節される色彩の温度及び強度を伴う居住環境１００（図１）内の照明を提供する。以下で説明するように、照明サブシステム２０４は、睡眠の夜明けの段階に突入すると身体を覚醒させるように設計された、光及び音のレベルを段階的に高める夜明けシミュレーターを実現しうる。それらは、通常の目覚まし時計に代わり、緩やかに覚醒するためのより自然な環境を生成する。それらは、起床時間にわたり、遮光シェードをゆっくりと開くこと又はエレクトロクロマティックペインを通過する光を緩やかに増やすことによって実現されうる。能動型音響がゆっくりと音量を増すこともある。音は、自然環境下に存在する音であっても、音楽など他の音であってもよい。それらは、人工照明と同様に音を提供しうる専用のベッドサイドユニットを介して、又は一体型ユニットにおいて実現されうる。
【０１１１】
以下で説明するように、照明サブシステム２０４は、メラトニンレベルを乱すことなく安全な通行のために十分な程度に室内を照らすように設計された、動きや周囲光レベルに応じて点く白熱照明器具、又は薄暗い（例えば、低ワット数の）長波長ＬＥＤを用いて、常夜灯を実現しうる。
【０１１２】
人工照明サブシステム２０４ａは、複数の照明源２５２、及び任意選択的に１つ以上の電源２５４を備える。上述したように、照明源２５２は、例えば白熱灯、蛍光灯、小型蛍光灯、又はＬＥＤ灯などの幅広く様々な形式をとってよい。ＬＥＤ照明は、エネルギー効率が非常に良く長い作動寿命を有するので好適である。照明源２５２は、単独でも併用しても、広い範囲の強度及び広い範囲の波長を選択的に提供することができなければならない。それによって照明源２５２は、例えば自然光模倣、日中の光パターン、日周光パターン、光療法パターン、及び／又は場所（例えば、緯度及び／又は経度）や季節（例えば、春、夏、秋、冬）による変化に適応する光パターンを調整する、広く様々な人工照明調整をもたらすように選択的に制御することが可能である。日周光パターンは、所与の場所（例えば、緯度及び／又は経度）に関して及び／又は所与の時期（例えば、季節、月）に自然に生じる光の強度及び／又は色彩（例えば、日光及び闇）を模倣する、一定の期間（例えば、太陽日、約２４時間）の光のパターンであってよい。生成、発生、又は提供された日周光パターンは、所定の又は所望の日周光パターンを作り出すように制御されうる、人工光と自然発生光との組み合わせによって作られうる。所定又は所望の日周光パターンは、特定の場所及び／又は時期において、それ自体が自然発生的な日周光パターンと異なりうるか、あるいは、特定の場所及び／又は時期における自然発生的な日周光パターンに関連して単純に変化しうる。照明源２５２は、アレイ状のＬＥＤの形式であってよく、各ＬＥＤは、１つ以上の波長の範囲を生じることができる。発光された光の波長は、ＬＥＤに供給される駆動電流を変化させることによって調節されうる。従って、所望の波長は、ＬＥＤの特定のセット（例えば、所与の波長範囲で発光するＬＥＤ）を選択的に作動させることによって、及び／又は、任意の所与のＬＥＤに供給される電流レベルを変化させることによって達成されうる。光の強度は、より多い又は少ない数のＬＥＤを選択的に作動させることによって、又は電源２５４を介して１つ以上のＬＥＤに供給される電力を制御することによって調節されうる。例えば、パルス幅変調（ＰＷＭ）駆動信号のデューティサイクルは、出力外に強度を調節するために変化しうる。
【０１１３】
電源２５４は、電力供給源（例えば、交流線電流、直流）、及び照明源（例えば、ＬＥＤ）にほぼ依存して、広く様々な形式を用いうる。電源２５４は、電力供給源からその他の回路を電気的に絶縁する及び／又は電圧を上げ下げする変圧器を備えてよい。電源２５４は、電圧を上げ下げするために操作可能なスイッチモード変換器を備えてよい。電源２５４は、交流電力を直流電力に整流するための１つ以上の整流器（例えば、受動ダイオードブリッジ、ＭＯＳＦＥＴ又はＩＧＢＴの能動トランジスタブリッジ）を備えてよい。可能性は低いが、電源２５４は、直流電力を交流電力にするための１つ以上のインバータを備えてよい。電源２５４は、例えばマイクロプロセッサなどのマイクロコントローラ、ＤＳＰ、ＡＳＩＣ、ＰＧＡ、又はＰＬＣ及び／又は関連する非一時的コンピュータ又はプロセッサ読取可能媒体などの、１つ以上の専用電源コントローラを備えてよい。電源２５４は、照明源への電力供給を制御するために照明源に伝達可能に連結される。
【０１１４】
自然照明サブシステム２０４ｂは、１つ以上の窓１１０を介して居住環境１００（図１）内に受ける自然光の量を制御するために駆動的に連結された、１つ以上のアクチュエータを備えてよい。上述したように、アクチュエータは例えば、１つ以上のエレクトロクロマティックペイン又はパネル１４６（図１）の透過率を制御するために接続された電力源２５６の形式をとってよい。また上述したように、アクチュエータは例えば、窓に対して１つ以上の窓遮蔽物１５０（図１）の位置を制御し、それが透過させる光の量を調節する、駆動的に連結された電気モータ２５８、ソレノイド又は他の部品の形式をとってよい。窓遮蔽物１５０は、室外の光から居住環境１００（図１）の居住者又は滞在客を遮蔽するために自動的に作動する「遮光シェード」の形式をとってよい。アクチュエータ２５６、２５８は、電圧源から電力を受けてよい、あるいはマイクロコントローラからの制御信号を受信してよい。エレクトロクロマティックペイン又はパネル１４６（図１）は、通過させる又は遮断する波長の範囲及び通過させる又は遮断する自然照明の強度を調節（すなわち、選択的にほぼ通過させる、選択的にほぼ遮断する）ことができる。従って、エレクトロクロマティックペイン又はパネル１４６（図１）は、窓遮蔽物を用いる手法よりも好ましい。
【０１１５】
室外環境からの周囲光（例えば、日光、街灯、建物、標識からの光、保安灯）の侵入を制御することは、健康的な日周リズムの維持を促進するために浴びる光のレベルを管理する上で役に立つ。これは、特に（例えば、北緯又は南緯が約４０度を上回る）高緯度及び／又は都市環境で、早い夏の夜明けと長い夏の夜の間特に重要である。
【０１１６】
都市の水道システムは、水の純度を制御するために多くの方法を用いる。それらの方法は、国や州の規定範囲内の汚染物質レベルをもたらすことにはほぼ成功しているが、時に水の品質が問題になっている。例えば、ラスベガスの水のナトリウム及び硫酸塩のレベルは、ニューヨーク市の規格を満たさない。ニューヨークでは、塩素処理による副産物が、国の規定値に近い。これらの問題に応じて、居住環境１００は、国際安全規格とともに米国規制当局によって設定された安全規定範囲内に十分収まる汚染物質濃度をもたらすための捕捉的な処理技術を用いてよい。
【０１１７】
ニューヨーク市の水は現在浄水されていないが、クロトン貯水池から引いた水のための浄水場が建設中である。更に、水源（キャッツキル／デラウェア流域）を保持するために、殺菌照射のためのＵＶ浄水施設が建設中である。
【０１１８】
硫酸塩及び塩化物の沈殿固形分は水の中に浮遊し、不透明な曇り、すなわち濁りをもたらしうる。濁りの多い水は本来健康に良くないが、高いレベルは、濾過処理における問題を示すことになり、他の汚染物質も十分に除去されていないことを暗に示しうる。粗フィルタ２５９は、水の中に浮遊する固形物を低減する。それはしばしば処理の第１段階であり、システム内の後続するフィルタの性能を最適化する。
【０１１９】
都市の水道システムは多くの場合、細菌を除去するために水道に加えられる塩素ベースの殺菌剤を加える。これは、水の臭気及び味に影響を及ぼし、目に刺激を与える可能性がある。人体は、皮膚及び消化管の正常な働きのために必要な、有益な共生細菌を持っている。皮膚上のそれらの微生物は、塩素によって損なわれる。塩素消毒された水が長期間有機物に触れていると、トリハロメタン及びハロ酢酸などの発癌性の副産物が生じうる。
【０１２０】
医薬品及びパーソナルケア製品（ＰＰＣＰ）は、薬品、清掃用品、及び健康食品における有効な成分として無数の様々な化学物質を備える。ＰＰＣＰは、例えば体内での薬の不完全な代謝、薬品又はパーソナルケア用品及び清掃用品の不適切な処分などの様々な経路で水道システムに混入する。安全性を損なう可能性能があるレベルのＰＰＣＰが、湖や河川に堆積され、都市の水道システムに混入しうる。ＰＰＣＰは、魚や湖の両生類における雌雄同体、及びその他の生殖系損害の原因となる傾向がある。更なる水道の汚染物質が予想され、水の中のＰＰＣＰの量の増加は、数々の研究プログラムの主題である。殺菌剤の副産物、殺虫剤、溶存ガス、塩素、クロラミン、及び一部の医薬品及びパーソナルケア製品を減少させる活性炭水フィルタ２６０は、清浄かつ美味の水を提供する。「活性」炭フィルタは、迷路状の経路及び開口部を含み、活性炭の表面積をグラムあたり約１０００平方メートルとする。
【０１２１】
多数の種類の微生物は、健康を害する恐れがあるか、又は劣悪な水品質の指標となりうる。
【０１２２】
例えば、大腸菌群（coliform）は、人に害を与えない一般的な桿状の細菌である。濁りや浮遊している固形物と同様に、大腸菌群は、指標として役立つ。それらの存在は、他のより危険な微生物が水処理を生き残り、水道内に存在しうることを示す。大腸菌に関するＥＰＡの目標はゼロトレースであるが、実施可能な規定値は、１か月以内に全てのサンプルのうち５％が陽性反応を示すことを可能にする。ニューヨーク市は、２０１０年に行われた９９５８のサンプルのうち４６（すなわち、最も多い月でサンプルの１．３％）で陽性反応が示された。
【０１２３】
また例えば、大腸菌（Ｅ．ｃｏｌｉ）という細菌も桿状の細菌であり、その種の大部分は無害である。例えばＯ１５７：Ｈ７などのいくつかの種類は、虚弱な人々に対して命を脅かす可能性がある毒素の作用により食中毒を引き起こす。大腸菌は、不衛生又は未調理の食物を食した結果、伝染される。伝染性の大腸菌は、例えば農業排水のように排泄物によって汚染された水の中にも存在しうる。
【０１２４】
更なる例として、クリプロスポリジウム及びジアルジアは、多くの場合排水によって汚染された水道システム内に存在する単細胞微生物である。細菌よりもはるかに多く、この原生物は、特に虚弱な人々において消化の問題を引き起こす。
【０１２５】
水処理サブシステム２０６は、清浄で健康的な水の供給が、例えば蛇口 １３０，１３６（図１）又はシャワーヘッド１３２（図１）などの栓を介して居住環境１００（図）に供給されることを保証する。水処理サブシステム２０６は、多段階の手法を用いてよい。
【０１２６】
水処理サブシステム２０６は、１つ以上の機械式フィルタ２５９を備えてよい。機械式フィルタ２５９は、水から沈殿物又はそれより大きい粒子状物質を濾過するための１つ以上の沈殿フィルタ又は粗フィルタを備えてよい。機械式フィルタ２５９は、水から微細粒子を濾過するための１つ以上の微細濾過フィルタを備えてよい。金網スクリーン、珪藻土、セラミック水フィルタ部品を含む様々な種類の粗フィルタ及び／又は微細濾過フィルタ媒体が用いられうる。
【０１２７】
水処理サブシステム２０６は、１つ以上の活性炭フィルタ２６０を備えてよい。活性炭フィルタは、約０．５マイクロメータ〜５０．０マイクロメータの範囲の大きさの微細粒子を除去しうる。
【０１２８】
化学殺菌剤を付加する代わりに、水は、ＵＶ光の照射によって殺菌することができる。高いエネルギーの光は、微生物のＤＮＡを破壊し、それらが繁殖する可能性を低くする。ＵＶ処理は、沈殿物のない清浄な水への高い効果がある。従って、水処理サブシステム２０６は、化学物質による濾過を用いずに微生物を除去する目的で、紫外線殺菌照射（ＵＶＧＩ）を用いてよい。具体的には、水処理サブシステム２０６は、水中の病原体を無害にするために十分な時間、十分な強度のＵＶ照射を水に当てるように作動する１つ以上の紫外線（ＵＶ）照明源２６１を備えてよい。ＵＶ照明源２６１は、１つ以上の専用電力供給源２６２から電力を供給されうる。
【０１２９】
代替として、炭素フィルタが先に用いられる逆浸透システム（不図示）は、塩素、ＰＰＣＰ、殺菌剤の副産物、重金属、微生物、及び水硬化剤を除去するために沈殿フィルタ及び紫外線照射の代わりに用いられうる。
【０１３０】
水処理サブシステム２０６は、１つ以上のビタミンＣ貯蔵器２６３、及びビタミンＣを水に放出するように作動する１つ以上のポート、弁、又はマニホルド２６４を備えてよい。ポート、弁、又はマニホルド２６４は、例えば浴槽又は洗い場１２２（図１）に付随するシャワーヘッド１３２（図１）又は任意選択的に蛇口１３０を通る水のみにビタミンＣを供給するなどのように、特定の配管の流れのみにビタミンＣを放出するように流動的に連結されうる。シャワーの水にビタミンＣを注入することにより、残留塩素が除去されうる。例えば局所用クリームとして用いられる場合のように、高い濃度の場合、皮膚はビタミンＣを吸収することができる。それらのレベルは、シャワー内に存在するビタミンＣよりもはるかに高い濃度であるが、シャワーの水も、皮膚に少量の栄養を与える。
【０１３１】
空気処理サブシステム２０８は、居住環境１００（図１）に供給される空気が居住者にとって健康的かつ快適であることを保証するための様々な部品を備えてよい。
【０１３２】
良好な空気品質は、健康的な環境の最も重要な特徴の１つである。静止した状態の成人は通常、毎分６〜１０リットルの空気を吸入する。この量は、適度な運動中は２倍になり、激しい運動の場合はそのまた２倍になる。約１５立方メートルの空気が、毎日適度に運動する成人の肺を通過する。
【０１３３】
自然の空気及び人工源の空気のいずれにも、空気中には微量の気体汚染物質及び微粒子が存在し、深刻な健康問題を引き起こしうる。家の中でそのような気体及び微粒子の源を除去することによって、それらの悪影響が軽減される。家の材料及び家にいる人によって発生した空気中の汚染物質は、屋外への通気による排除、及びそれらが屋内の空気供給に戻らないことを確実にするための濾過を必要とする。
【０１３４】
劣悪な空気品質の主な健康被害は、肺癌及び心配の病気である。これらの病気による死の著しい数の増加は、長期間の高いレベルの微粒子物質に起因している。空気品質による他の被害は、喘息の発作、肺気腫、及び免疫系の乱れである。
【０１３５】
微小スケールにおいて、流体力学及び重力の働きがそれぞれ関与する自然法則は、空気中に浮遊する固形物及び液体をほぼ無限にする。幅広く置き換えると、この微粒子物質は、サイズが２．５μｍ未満の微粒子（ＰＭ２．５）と、サイズが２．５μｍ超１０μｍ未満の粗粒子（ＰＭ１０−２．５）との２つのカテゴリに分類される。微粒子は、多くの健康問題を招きうる吸入可能な粒子である。それらの構成を決定する物理的過程に起因して、微粒子は、より大きな相対物と比べて本質的に酸性かつ変異原性である。微粒子は、肺の奥深くに入り込み、被害を大きくする。粗粒子物質及び更に大きい汚染物質の吸入による死亡は多くの場合、その粒子自体ではなくそれらが含んでいる有毒な化学物質によって生じる。
【０１３６】
粗粒子は、微粒子ほど肺の奥深くに入り込まないので、微粒子よりも危険性が低い。しかし、多数の粗粒子はアレルギー源である。例えば、塵性ダニは、ペットのふけ、人間の死んだ皮膚細胞、及び他の生物関連物質を餌とする微小なクモ形類である。それらは絨毯、マットレス、及びカーテンに繁殖し、天然素材よりも合成繊維に住み着く傾向がある。ダニはそれ自体に危険性はないが、それらの糞が、一部の人において免疫反応の引き金となる化学物質を含む。その結果現れる症状は、多くの場合、目の痒み、鼻水、及び特に喘息患者を衰弱させうる反応である喘鳴を含む。米国の家庭の４分の１近くが、症候性喘息に結び付く塵性ダニレベルを有しており、ほぼ半数が、過敏な人にアレルギー反応を引き起こすのに十分な塵性ダニを含んでいる。
【０１３７】
空気処理サブシステム２０８は、比較的大きい粒子を除去するために空気を通過させる１つ以上の機械式空気フィルタ（例えば、網、スクリーン、織状、あるいはパイル状の材料）２６５を備えてよい。適切な機械式空気フィルタは、活性炭空気フィルタ、微粒子除去効率が高い（ＨＥＰＡ）空気フィルタ（すなわち、１７＋相当のＭＥＲＶ）、ＭＥＲＶ１３〜１６の空気フィルタ、一定量のゼオライト、又は多孔性材料を含んでよい。
【０１３８】
空気処理サブシステム２０８は、微粒子を除去するための１つ以上の静電気フィルタ又は集塵装置２６６を備えてよい。特に、静電気フィルタ２６６は、アレルギー源、毒素、及び病原体を含みうる粒子をせき止める。更に、静電気フィルタ２６６は、塵性ダニ、花粉、絨毯の繊維、カビの胞子、細菌、煙、及びディーゼル粒子状物質を空気中から除去するために取り付けられる。静電気フィルタ２６６は、静電荷によって粒子を引きつけ、空気中から金網の中へ粒子を抜き取る。
【０１３９】
静電気フィルタ２６６は、例えば、粒子に電荷を加え、帯電した粒子を引きつけるためにスクリーン又は他の電極部品に反対電荷を加えるものなど、様々な形式を用いてよい。それらの一例は、コロナ放電タイプの静電気フィルタである。静電気フィルタ２６６は、電力供給源２６７を介して給電されうる。
【０１４０】
空気中の様々な病原体は、特に閉鎖空間又は居住環境において、様々な問題を呈しうる。これは、例えば熱の損失を減少させることによって熱効率を高めるために、室外環境との換気を減少させるために用いられる昨今の建設技術の場合、特に問題になりうる。空気中の微生物のほとんどは広汎性でありほぼ無害であるが、一部は、住宅の通気システムを通って容易に拡散する危険な病原体である。
【０１４１】
カビの胞子は、皮膚、鼻、喉、及び目の痒みを引き起こし、喘息の発作の引き金にもなりうる。これらの菌類は、めまいや吐き気に関連性を持つ、特徴的な「カビ臭い」匂いを発する揮発性有機化合物を放出する。湿度管理は、カビの減少に効果的であることが立証されており、遮断性の高い窓は、水滴が減ることにより接合部におけるカビの発生を防ぐ。
【０１４２】
個々の微生物は非常に小さく、他の粒子に付随していなければ一部のフィルタを通り抜けることがある。空気中の病原体が閉鎖空間又は居住環境１００（図１）を通って移動する可能性を低くするために、更なる保護を提供するためにＵＶＧＩが用いられうる。ＵＶＧＩは、通気システムを通り抜ける微生物及びウイルスのＤＮＡを特に対象とする特定の周波数のＵＶ光に基づいている。
【０１４３】
空気処理サブシステム２０８は、通気システムの１つ以上の部品（例えば、ダクト）内でＵＶ光によって空気を殺菌するように設計されたＵＶ空気殺菌剤を含んでよい。その目的は、濾過装置を通り抜けうる空気中の細菌、ウイルス、塵性ダニ、及びカビ胞子を滅菌することである。
【０１４４】
従って、空気処理サブシステム２０８は、１つ以上のＵＶ照明源２６８を備えてよい。ＵＶ照明源２６８は、病原体を無害にするために十分な時間、十分な強度のＵＶ照明を空気に照射するために配置される。
【０１４５】
様々な気体汚染物質が、閉ざされた居住空間に堆積することが可能な場所では特に、人間に悪影響を及ぼしうる。揮発性有機化合物（ＶＯＣ）は、室温で蒸発して気体になる炭素系化学物質である。多くの塗料、清掃用品、及び害虫駆除化学製品がＶＯＣを放出し、建物内に存在するＶＯＣは、屋外のレベルよりも２から５倍高い。一部の家具材及び建材も、例えばホルムアルデヒドなどのいくつかの種類のＶＯＣを徐々に放出する。それらに晒されると、短期間のうちに、めまい、吐き気、頭痛、喉の痒み、及び疲労感を生じることがあり、一方、長期にわたる影響は、肺、腎臓、及び中枢神経系の損傷を含む。
【０１４６】
二酸化窒素は燃焼生成物であり、主に燃料の近辺に存在する。ガスストーブ、暖炉、及び煙草の煙を含む室内エリアは、多くの場合、非常に高い濃度の二酸化窒素を有する。疫学研究は、過剰な二酸化窒素の吸入が、特に子供において、肺機能を低下させうることを示す。それは、短期間のうちに免疫系からのアレルギー反応を引き起こし、目、鼻、及び喉の痒みを生じさせることがある。
【０１４７】
オゾンは、分子酸素と、酸化窒素と、日光との反応によって生成される。これは、スモッグの形態をとる主な触媒である。オゾンは、細胞呼吸を妨げ、細胞の活動を減少させる。吸入したオゾンの濃度が高いと、喉の痒みや胸の締め付け感を生じることがあり、長期にわたると、肺組織を傷つけ肺気腫を招くことがある。更に、オゾンは、身体の免疫系を乱し、空中又は水中の病原体による危険性を高める。Ｅ．Ｐ．Ａ．は、現行規格の下では、オゾンが２００８年から２０２０年の間に１１０，０００人以上の労働日数の損失及び１，１００，０００人以上の登校日数の損失の原因になると予想している。
【０１４８】
居住環境１００（図１）の設計は、例えば特定の接着剤又は樹脂製品（例えば、パーティクルボード）を含む製品又は材料を排除又は回避することで、ＶＯＣを放出する材料の使用を避けるか、あるいは最低限に減らす。日用品においても、ＶＯＣを放出する材料は避けられる。例えば、居住環境１００（図１）の維持管理は、ＶＯＣの放出を生じさせることが知られている清掃用化合物の使用を避ける。
【０１４９】
それでもなお、一部のＶＯＣ及び気体汚染物質が居住環境内に生じる。従って、空気処理サブシステム２０８は、気体分子を遮断するように設計された活性炭媒体フィルタを通過するＶＯＣ、二酸化窒素、及びオゾンを低減するために、空気の流路に１つ以上の活性炭空気フィルタ２４９を備えてよい。活性炭空気フィルタ２４９は、煙霧や臭気の発生源が存在するエリアにおいて最も有用である。
【０１５０】
上記に加えて、あるいは上記に代えて、空気処理サブシステム２０８は、様々な方法で陰イオン、陽イオン、及び／又は両極性イオンを放出する装置であるイオン発生器の使用を含んでもよい。これらのイオンの目的は、イオンを空気中に浸透させ、超微粒子及び微粒子、ウイルス、カビ胞子、及び／又は他の病原体を含む空気中の有害な粒子を中和、不活性化、及び／又は塊状にすることである。これらのイオン発生器は、単独で作動するか、あるいは媒体フィルタ又は他の空気清浄装置と協働して相乗的ソリューションの一部として作動しうる。イオンの浄化効力の有効性は湿度及び気温によって変わるという証拠が存在するので、制御システムは、イオン発生器の有効性を高めるためにこれらの環境要因を最適化するように設計されうる。
【０１５１】
上記に加えて、あるいは上記に代えて、静電気フィルタ２６６又は他のいくつかの部品は、空気中の特定の不純物に触媒作用を及ぼすために選択された１つ以上の触媒を任意選択的に含んでよい。例えば、静電気フィルタ２６６は、ある種のＶＯＣを許容可能な又は無害な形態にする触媒作用を及ぼす１つ以上の触媒（例えば、二酸化チタン、酸化クロム、又は酸化アルミニウムなどの非金属触媒、あるいは、Ｆｅ、Ｃｏ、Ｎｉ、Ｃｕ、Ｒｕ、Ｒｈ、Ｐｄ、Ａｇ、Ｉｒ、Ｐｔ、及びＡｕなどの金属触媒、及び例えばＰｔとＲｈの合金などの、それらの併用すなわち合金）を含んでよい。
【０１５２】
空気処理サブシステム２０８は、空気を暖めるための１つ以上の暖房装置２６９を備えてよい。暖房装置２６９は、あらゆる多種多様な形式をとりうる。暖房装置２６９は、空気を暖めるために抵抗放射体を用いる様々な電気暖房装置の形式をとってよい。暖房装置２６９は、例えば天然ガスやプロパンなどの燃料を燃焼する燃焼器を一般的に含む強制空気暖房装置の形式をとってよい。あるいは暖房装置２６９は、石油暖房炉などの形式をとってもよい。
【０１５３】
空気処理サブシステム２０８は、エアコンディショナ冷房装置の一部を形成しうる１つ以上のコンプレッサ２７０を備えてよい。コンプレッサ２７０は、液体の圧力を制御するために流動的に連結され、１つ以上のコイル又は他の熱交換器に連結され、空気中の熱を除去するために標準的なエアコンディショナ装置と同様の形式で作動しうる。
【０１５４】
相対湿度は、所与の温度で保たれうる総量に比した空気中の水蒸気の測定値である。春季及び夏季には、湿度レベルは、不快感を招くのに十分なほど高くなりうる。中央空気システムを冷たい空気が通ると、冷たい空気が含む水蒸気が少ないことにより、空気中の湿度が減少する。しかし、冬季には建物内に乾いた空気が入り込み暖房されることによって相対湿度が下がり、空気は乾いて感じられる。
【０１５５】
カビ、塵性ダニ、及び細菌の発生及び繁殖を防ぎ、快適さを保つためには、居住環境１００の相対湿度は３０％から５０％の間に保たれなければならない。住宅の通気システム内で高温の水を用いることにより、細菌の繁殖が抑制される。空気品質の観点からは湿度は上記範囲の下限に近付くことが望ましいが、過度に低い湿度レベルは、乾燥肌や呼吸器への刺激を招くことがある。
【０１５６】
従って、空気処理サブシステム２０８は、閉ざされた居住環境１００（図１）全体の湿度を管理する加湿器及び／又は除湿器２７１を備えてよい。これは特に、冬季に空気中の湿度レベルが下がる時に重要となるので、空気処理サブシステム２０８は、乾燥する時期に湿度を上げる（すなわち、加湿する）ことが不可欠である。対照的に、空気処理サブシステム２０８は、湿度の高い時期には、湿度を下げる（すなわち、除湿する）。加湿器及び／又は除湿器２７１は、加湿モードで空気中に加えられる水、又は除湿モードで空気中から除去された水のいずれかを保持する貯水槽を備えてよい。加湿器及び／又は除湿器２７１は、例えば湿気を除去する一部として空気を冷却するために用いられるコンプレッサ（不図示）を備えてよい。加湿器及び／又は除湿器２７１は、湿気を加える一部として空気を暖める暖房部品を任意選択的に備えてよい。
【０１５７】
相対湿度を制御するために、空気処理サブシステム２０８は、特に浴室１００ｂ（図１）において、排気口１５８ａ（図１）を追加で用いてよく、それは、例えばシャワー １２２，１３２（図１）によって発生した湿度を急速に低下させるために居住環境の一部における換気率を高めるために用いられる。
【０１５８】
空気処理サブシステム２０８は、１つ以上のダクト（図１）及び／又は通気孔（図１）に連結された１つ以上のファン及び／又は送風機２７２を備えてよい。ファン及び／又は送風機２７２は、空気処理サブシステム２０８及び／又は居住環境１００（図１）内で空気を循環させうる。ファン及び／又は送風機２７２は、新鮮な空気を処理する前に、室外環境へ空気を排出する、及び／又は室外環境から新鮮な空気を取り込むことができる。特に、大量通気システムは、例えば有機化合物、塵性ダニ、及びペットのふけなどの内部発生した空気中の不純物の増加を軽減するために室内の空気を排出する。熱交換器は、外へ出る空気からエネルギーを取り戻すために有利に用いられうる。
【０１５９】
湿度制御の代替例として、閉鎖空間内の落水（不図示）は、相対湿度の上げることも下げることもできる。冷却された水が落水において循環すると、システムは空気中の水蒸気を奪う。室温又は暖かい水が落水において循環すると、システムは空気中に水蒸気を放出する。落水は、居住環境１００に癒し効果のある背景音も提供する。
【０１６０】
アロマセラピーの実施は、気分や感情に様々な効果を与える多種多様な油分及び抽出物を用いる。昨今のアロマセラピー習慣の支持者は、様々な果実及び植物ベースのアロマが、気分、行動、及びウェルネス感覚に良い影響を与える作用を有することを提示する。植物ベースの香り及びそれらが対応する作用の例を以下に示す。
【０１６１】
ラベンダーの効能は、夜間に用いると安らかな睡眠を、夜間に用いた場合の翌朝の活力の向上、気分の向上、心拍数の低下、及び明るい気分の促進を含む。ジャスミンの効能は、リラックス効果、心拍数の低下、及び明るい気分の促進を含む。オレンジの香りは、不安感を軽減し、ストレスの多い状況下で良い気分を保つ助けとするために用いられてきた。ローズマリーは、記憶力を向上させ、反応時間を増加させることが示されている。
【０１６２】
香りサブシステム２１０は、居住環境１００（図１）又はその一部の中の空気に１つ以上の種類の香りを選択的に投与する又は散布するために使用できる。香りサブシステム２１０は、一般的に液体状で様々な香り（例えば、ラベンダー、ローズマリー）を保持する。１つ以上の通気孔、弁、又はマニホルド２７４は、例えば空気処理サブシステム２０８のダクト又は通気孔を介して居住環境１００（図１）又はその一部に香りを放出又は拡散するために、貯蔵器のうちの選択された１つに流動的に伝達するように連結するように選択的に使用できる。香りサブシステム２１０は、居住環境１００（図１）又はその一部への香りの拡散を促進するための１つ以上のファン及び／又は送風機２７５を任意選択的に備えてよい。香りサブシステム２１０は、液体状の香りを加熱することによって、居住環境１００（図１）又はその一部により容易に拡散できる気体状に蒸発させるために、貯蔵器２７３又は貯蔵器２７３の出口に熱的に（例えば、伝導、放射、対流するように）連結された１つ以上の加熱器２７６を任意選択的に備えてよい。
【０１６３】
上記に加えて、あるいは上記に代えて、１つ以上の受動部品が、居住環境１００に香りを拡散するために用いられうる。例えば、様々な物品が特定の香りを浸漬されうる。そのような物品は、例えばカーテン、リネン類、又は寝具（例えば、枕カバー、枕、シーツ、毛布、掛け布団、上掛け）、絨毯、タオルなどの様々な布製品を備えてよい。そのような物品は、例えば通気孔の流路内や枕カバーの中など、居住環境１００の様々な場所に位置付けられうる、小袋、袋、又は他の通気性のある容器や包みを備えてよい。小袋又は袋は、使用前に即時に開封される気密性の包装、容器、又は包みの中に配置されうる。それによって、製造から使用までの間、香り放出物質を新鮮なまま有利に維持することができ、居住環境に不所望の匂いが放出されることが防がれうる。従って、特定の包装は、居住環境１００の特定の居住者又は居住者たちのために香りをカスタマイズするために、香りが居住環境１００に放出又は拡散することができるように開封されうる。
【０１６４】
このように、香りサブシステム２１０の能動部品又は受動部品は、部屋の機能及びアロマの効能に基づいて部屋仕様のアロマセラピーを提供する。多種多様な精油及び作られたアロマが、個人の特性に合わせるためのオプションを伴ってディスペンサで使用することができる。
【０１６５】
音響サブシステム２１２は、居住環境１００（図１）又はその一部に音を提供する。特に、音響システムは、例えば癒し効果のある音（例えば、水の流れる音、森林の音、波の音、「白色」雑音、「桃色」雑音、音楽）を提供する。音響サブシステム２１２は、居住環境１００（図１）又はその一部の各所に位置付けられうる１つ以上のスピーカ２７７を備えてよい。音は、リラックス効果をもたらすために、あるいは例えば読書中や作業中、居住者が、音がない場合の集中よりも高く集中することができるように選択されうる。音響サブシステム２１２は、信号によって提示された音をスピーカ２７７に再生させる信号（例えば、一般的にはアナログ又はデジタルの電気信号）をスピーカ２７７に提供するために電気的に、光学的に、又は無線で接続された１つ以上の増幅器２７８を備えてよい。音響サブシステム２１２は、例えばライブラリ内にデジタルバージョンのサウンドを記憶する非一時的コンピュータ又はプロセッサ読取可能記憶媒体２７９を任意選択的に備えてよい。増幅器２７８は、デジタルバージョンのサウンドを、スピーカ２７７を制御するための信号に変換する１つ以上のＣＯＤＥＣ及び／又はマイクロコントローラを備えてよい。音響サブシステム２１２は、居住空間内の雑音を検出する１つ以上のマイクロホン（不図示）を備えてよい。音響サブシステム２１２は、雑音を相殺すなわち消去するマスキング音を提供しうる。
【０１６６】
入力／出力（Ｉ／Ｏ）サブシステム２１４は、制御サブシステム２０２への入力を供給し、及び／又はそこからの出力を提供するために、制御サブシステム２０２と通信可能に接続される。入力／出力（Ｉ／Ｏ）サブシステム２１４は、様々なセンサ２８０〜２８２、ユーザ操作型入力／出力（Ｉ／Ｏ）装置、制御装置、パネル、又はキオスク２８３，２８４、及び例えばテレビ２８５などの他の装置又は部品を備えてよい。
【０１６７】
例えば、検出器２８０の１つ以上の居住者センサが、居住環境１００（図１）又はその一部の中あるいは付近に配置されうる。居住者センサ又は検出器２８０は、居住環境１００（図１）における居住者の存在、あるいは逆に不在を感知又は検出する。居住者センサ又は検出器２８０は、あらゆる多様な形式であってよい。例えば、居住者センサ又は検出器２８０は、例えば受動型赤外線ベース動き検出器、近接度（ＲＦ）ベース動き検出器、マイクロ波又はレーダーベース動き検出器、超音波ベース動き検出器、振動ベース動き検出器、及び／又は動画ベース動き検出器などの様々な動き検出器の形式であってよい。居住者センサ又は検出器２８０は、居住者による付属設備又は他の何らかの部品の作動又は操作（例えば、ラジオ、テレビ、ステレオ、電化製品の電源を入れること）を検出する簡易接点スイッチを備えてよい。居住者センサ又は検出器２８０は、画像を捕捉する簡易カメラ（例えば、デジタルカメラ）の形式であってよく、画像のフレームごとの変化が居住者の存在又は不在を示しうる。居住者センサ又は検出器２８０は、例えばスマートカードやキーカード、あるいは携帯装置などの、居住者に付随する物品の存在又は不在を検出してよい。
【０１６８】
また、例えば、１つ以上の温度センサ又は検出器２８１が、居住環境１００（図１）又はその一部の中あるいは付近に配置されうる。温度センサ又は検出器２８１は、温度センサ又は検出器の付近の温度を感知又は検出し、感知又は検出した温度を示す信号を制御システム２０２及び／又は空気処理サブシステム２０８に提供する。温度センサ又は検出器２８１は、例えば熱電対や熱反応性抵抗器などの様々な部品を用いてよい。
【０１６９】
また、例えば、１つ以上の湿度センサ又は検出器２８２が、居住環境１００（図１）又はその一部の中あるいは付近に配置されうる。湿度センサ又は検出器２８２は、湿度センサ又は検出器２８２の付近の湿度すなわち相対湿度を感知又は検出し、感知又は検出された湿度を示す信号を制御サブシステム２０２及び／又は空気処理サブシステム２０８に提供する。湿度センサ又は検出器２８２は、様々な部品を用いてよい。
【０１７０】
１つ以上の室内ユーザ操作型入力／出力（Ｉ／Ｏ）制御装置、パネル、又はキオスク２８３は、居住者又は施設従業員（例えば、清掃人、管理人）が環境制御システム２００とインタラクトすることを可能にする。室内ユーザ操作型入力／出力（Ｉ／Ｏ）制御装置、パネル、又はキオスク２８３は、情報及びグラフィカルユーザインタフェース（ＧＵＩ）を提示することができるタッチ感知式又はタッチ反応式ディスプレイを備える。情報は、環境制御システム２００の現在の設定及びユーザによって選択することができる様々な設定に関する情報を含んでよい。ＧＵＩは、ユーザによる選択のために表示される１つ以上のユーザ選択可能アイコン（例えば、スクロールバー、ツールバー、プルダウンメニュー、ダイアログボックス、キー、テキスト）を含む。選択によって、ユーザは、照明、室温、湿度、音響、又は環境の他の態様を調節することができる。ＧＵＩは、プログラムを選択するための所定のプログラムのセットをユーザに提示しうる。プログラムは、単純な符号や名称を伴う簡易な形式で提示されうるが、サブシステム２０２〜２１４の様々な組み合わせに関する非常に複雑な設定のセットを有しうる。
【０１７１】
室内ユーザ操作型Ｉ／Ｏ制御装置、パネル、又はキオスク２８３は、居住環境１００の特に健康及びウェルネスの快適性に関する居住者の印象及び全体の満足度を示す情報を居住者から収集することもできる。それらは、例えばグラフィカルユーザインタフェース（ＧＵＩ）を介して提示される様々な質問及び可能性のある評価を含む自動調査によって取得されうる。
【０１７２】
１つ以上の施設ユーザ操作型Ｉ／Ｏ制御装置、パネル、又はキオスク２８４は、施設従業員（例えば、事務員、コンシェルジュ、清掃人、管理人）が環境制御システム２００とインタラクトすることを可能にする。施設Ｉ／Ｏ制御、パネル、又はキオスク２８４は、情報及びＧＵＩを提示することができるタッチ感知式又はタッチ反応式ディスプレイを備えてよい。情報は、環境制御システム２００の現在の設定及びユーザによって選択することができる様々な設定に関する情報を含んでよい。ＧＵＩは、ユーザによる選択のために表示される１つ以上のユーザ選択可能アイコン（例えば、スクロールバー、ツールバー、プルダウンメニュー、ダイアログボックス、キー、テキスト）を含む。選択によって、ユーザは、照明、室温、湿度、音響、又は環境の他の態様を調節することができる。ＧＵＩは、プログラムを選択するための所定のプログラムのセットをユーザに提示しうる。プログラムは、単純な符号又は名称を伴う簡易な形式で提示されうるが、サブシステム２０２〜２１４の様々な組み合わせに関する非常に複雑な設定のセットを有しうる。ＧＵＩは、施設従業員が新たなプログラムを定義し、古いプログラムを削除し、及び／又は既存のプログラムを修正することを任意選択的に可能にする。
【０１７３】
例えばＧＵＩによって、施設従業員は、各居住環境に居住することになる特定の宿泊客又は他の居住者に関する情報を入力することができる。情報は、例えば、居住者の出身地である場所を含んでよい。場所は、地名（例えば、町、州、国）、地理座標（例えば、緯度及び／又は経度）を含む様々な形式で記入されうる。それによって、環境制御システム２００は、新しい場所への移動によって居住者が体験する変化に配慮して制御プログラムを決定することができる。従って、環境制御システム２００は、日中周期及び／又は日周周期の変化を調整しうる。情報は、日周周期及び移動（例えば、「時差ぼけ」）した時に調整する能力に影響する又は関連する、居住者の年齢又はおおよその年齢を含んでよい。それによって、例えば季節性情動障害など他の問題に関する調整や治療、あるいは特定の病気や症候を治療するための光療法の提供が可能になる。
【０１７４】
上述したように、１つ以上のテレビ２８５は、居住者に情報を少なくとも提示するために用いられうる。一部の実施形態において、テレビ２８５とインタラクトし、環境制御システム２００の１つ以上の部品を制御するための様々なユーザ選択可能なオプションを選択するために、例えば遠隔制御装置などの制御装置が居住者によって用いられうる。また、上述したように、居住者は、環境制御システム２００とインタラクトするために例えばスマートフォン、タブレットコンピュータなどの携帯装置１８２ｃ（図１）を用いてよい。
【０１７５】
サーバ２４４及び非一時的コンピュータ又はプロセッサ読取可能媒体２４６は、環境制御システム２００の他の部品へ情報を提供及び記憶しうる。それらは、例えば、どの居住者が施設のどの居住環境１００（図１）に何時に入居するかを指示するスケジュールを含んでよい。この情報は、各居住者の所望する環境特性を指示する情報も示す、又はそれらにマップされうる。従って、環境制御システム２００は、特定の居住者のためにカスタマイズされた、様々な居住環境１００における環境特性を自動的に調節しうる。
【０１７６】
衛生サブシステム２１６は、居住環境１００と一体をなす一部であるか、あるいは例えば別の居住者又は宿泊客のために準備する時に居住環境１００に選択的に提供されうる。例えば、衛生サブシステム２１６は、図２に示すように、居住環境１００内に選択的に運び込むためにタイヤ２９４を有するカート２９３として提供されうる。カートとして図示されるが、衛生サブシステム２１６は、居住環境のほぼ中心に取り付けられたポールや、壁又は好適ではないが居住環境１００内の壁又は他の構造物から吊るされる携帯式ユニットとして提供されてもよい。それによって、衛生サブシステム２１６又はその一部が、カート２９３によって配置される場合よりも高い位置に配置されることが可能になる。
【０１７７】
衛生サブシステム２１６は、様々な有害生物や病原体を無害にする又は駆除するために居住環境１００に殺菌剤を提供しうる。衛生サブシステム２１６は、殺菌作用が有害西部や病原体を無害にした又は駆除した時から十分な時間が経過した後、居住環境１００（図１）から殺菌剤を任意選択的に排出しうる。
【０１７８】
殺菌剤は、様々な形状であってよい。殺菌剤は、気体状であるか、又は蒸気や「乾燥蒸気」（すなわち、湿っていない）の形状であってよい。適切な殺菌剤は、例えば、二酸化塩素、過酢酸、過酸化水素、及び電気化学的活性溶剤（例えば、電解水）の形態をとってよい。適切な殺菌剤は、例えば、光触媒抗菌材（例えば、複合光触媒、フロリダ州パンパノビーチ所在のエコアクティブ・サーフェス社の商標であるＯＸＩＴＩＴＡＮ（商標）の下で入手可能なナノ結晶質二酸化チタンのマトリクス状のナノ粒子サイズの亜鉛地金）を含んでよい。それらは、抗菌表面を提供し、臭気及びＶＯＣを軽減し、親水性又は疎水性の自浄作用、及び／又は紫外線や腐食からの保護を提供しうる。紫外線からの保護は、紫外線照明が居住環境１００の殺菌にも用いられる場合、特に有利である。
【０１７９】
上記に代えて又は上記に加えて、殺菌剤は、例えば電磁エネルギーの紫外線などの特定の波長範囲などの、電磁エネルギー又は照射の形態であってよい。
【０１８０】
衛生サブシステム２１６は、殺菌剤の生成と併用される場合、１つ以上の殺菌剤又は殺菌材の貯蔵器２８６を備えてよい。衛生サブシステム２１６は、居住環境１００（図１）に殺菌剤を散布するために役立つ１つ以上のファン又は送風機２８７を備えてよい。一部の実施形態において、ファン又は送風機２８７は、居住環境１００（図１）に殺菌剤を除去又は排出するためにも役立つ。衛生サブシステム２１６は、衛生サブシステム２１６は、殺菌剤をより散布しやすい形態にするために使用することができる１つ以上の変換器２８８を任意選択的に備えてよい。変換器２８８は、例えば殺菌剤を気化させるための加熱器の形式であってよい。上記に加えて、あるいは上記に代えて、変換器２８８は、乾質殺菌剤を非常に微細な粒子形状に粉砕あるいは粒子化するか、又は液体殺菌剤の飛沫を例えば表面を濡らさない非常に微細な形状に分解する、１つ以上の高周波数振動素子（例えば、圧電性素子）の形式であってよい。
【０１８１】
衛生サブシステム２１６は、殺菌剤を散布するための１つ以上の口又は孔２８９を備えてよい。口又は孔２８９は、衛生サブシステム２１６の筐体２９０内に組み込まれうる。上記に加えて、あるいは上記に代えて、衛生サブシステム２１６は、殺菌剤を散布するためのノズル２９２又は他の開口部を有する１つ以上のホース２９１を備えてよい。
【０１８２】
衛生サブシステム２１６は、例えば電磁エネルギーの紫外線などの特定の波長範囲などの電磁エネルギー又は照射を放出するために選択的に使用することができる１つ以上のワンド２９５を備えてよい。ワンド２９５は、例えばＵＶ照明源２９６などの１つ以上の照明源を含んでよく、１つ以上のケーブルを介してカート２９３によって搬送される電源２９７に電気接続されうる。あるいは照明源２９６はカート２９３内に配置され、ワンド２９５は１つ以上のケーブル２９８を介して照明源に光接続される。
【０１８３】
衛生サブシステム２１６は、衛生サブシステム２１６の筐体から居住環境１００に直接的に照明を提供するために、周囲環境に晒されるように配置された１つ以上の照明源２９９を備えてよい。照明源２９９は、カート２９３の外側に接して又はカート２９３の外側部内に配置され、１つ以上のポート（不図示）を介して光通信接続される。それによって、例えば紫外線照明などを用いて居住環境１００全体が光学処理されることが可能である。ワンド２９５は、例えば、照明源２９９の直接見通し線上に存在しないエリア又は空間などの、照明源２９９からの直接照明によって処理されないであろうエリア又は空間を処理するために用いられうる。一部の実施形態において、照明源２９９は、ケーブル２９８を介してワンド２９５に光接続される照明を提供しうる。
【０１８４】
殺菌は、例えば病原体の種類、距離、及び強度（例えば、内在エネルギー）などの様々な要因に依存して、最低でも３時間紫外線照明を当てることが必要である。標的となる病原体は、例えばカビ胞子や、様々なバチルス、原生動物、ウイルス、酵母菌などの有機物などの様々な形態でありうる。カビ胞子は、例えば黄色コウジ菌、カツオブシカビ、クロコウジカビ、もつれカビＡ、もつれカビＢ、卵胞子ラクティス、ペニシリウム・エクスパンサム、ペニシリウム・ロックフォルティ、ミドリカビ病菌、黒クモノスカビなどを含みうる。照明は、光触媒抗菌剤又はコーティングを適用する前、後、最中、又は前後に生じうる。使用するためには、処理中は終始、居住空間内が無人であることが必要である。従って、遠隔制御装置（例えば、カート２０３内の無線携帯送信機及び無線受信器）や遅延開始タイマが有利に用いられうる。
データ、データ構成、及び非一時的記憶媒体
【０１８５】
上述した様々な非一時的媒体は、例えば１つ以上のデータ構成で設定情報を含むデータなどの情報を記憶しうる。データ構成は、例えば関連データベースに付随するレコード、データベース自体、ルックアップテーブルなどの様々な形式であってよい。データ構成は、異なる様々な情報やデータを記憶しうる。
操作
【０１８６】
図３は、例示された一実施形態に係る居住環境１００により良い環境を提供する高レベルの方法３００を示す。居住環境１００は、多くの場合、ホテル、モーテル、スパ、又は他のサービス施設環境の観点から説明されるが、住宅、オフィス、病院、又は他の任意の居住環境の形態であってよい。
【０１８７】
方法３００は、３０２において開始する。方法３００は、例えば、毎日、毎週、毎月などの周期ベースで開始しうる。上記に代えて又は上記に加えて、方法３００は、例えば宿泊客のチェックイン、宿泊客の予想されるチェックイン、又は居住環境１００（図１）への宿泊客又は居住者の入来に応じて、例えばスマートカード又はカードキー１１４からの識別子の読取りに応じて、オンデマンドで開始しうる。
【０１８８】
３０４において、清掃員が居住環境１００を清掃する。清掃は、ごみ箱を空にすること、拭き掃除、洗濯、掃除機掛け、殺菌剤による清掃及び／又は処理、及び／又は、汚れた使用済みの洗濯物（例えば、タオル）の収集を含みうる。
【０１８９】
３０６において、清掃員は、居住環境１００内の抗菌寝具、タオル、その他カバー類（例えば、カーテンドレープ）を使用する、又は取り付ける。抗菌寝具、タオル、その他カバー類は、例えば、１つ以上の抗菌又は抗病原体剤で浸漬又は被覆されている。
【０１９０】
３０８において、清掃員は、例えば衛生サブシステム２１６によって居住環境１００又はその一部を任意選択的に殺菌する。上述したように、衛生サブシステム２１６は様々な形状であってよく、それらのうち少なくとも１つは、居住環境１００（図１）に霧状又は「乾霧」状の殺菌剤を散布する霧噴射器又は「乾霧噴射器」である。殺菌剤は、様々な表面に付加され、病原体や他の有害な物質を中和する、すなわち無害にするために十分な時間、そこに留まりうる。上述したように、殺菌剤は表面を「濡らさない」ので、表面が損傷を受けない。衛生システム２１６はその後、居住環境１００から殺菌剤を任意選択的に排出又は除去し、例えば処分又は再生処理するための貯蔵器にそれらを集積する。
【０１９１】
３１０において、環境制御システム２００又はその一部は、居住環境１００（図１）に居住する１人又は複数人の居住者又は宿泊客、及び／又は居住者の固有の属性、特性、又は特徴を認識する。例えば、施設従業員は、入力装置、パネル、又はキオスク２８４を介して居住者識別子を入力してよい。また、例えば、居住者又は宿泊客が、入力装置、パネル、又はキオスク２８３を介して居住者識別子を入力してよい。更なる例として、居住者識別子は、例えばスマートカードやキーカードなどの何らかの一片の媒体から自動的に読み取られうる。居住者識別子は、例えば、スマートカード又はキーカードの磁気ストライプ、機械読取可能記号、又はワイヤレストランスポンダ（例えば、ＲＦＩＤトランスポンダ）に符号化されうる。居住者識別子は、居住者の氏名で構成される又は氏名を含みうるが、居住者の実名を含まないアルファベット文字列であることが望ましい。アルファベット文字列は、例えば安全なデータベース又は他の安全なデータ構成において、居住者の氏名に論理的に関連付けられうる。そのような手法によって安全性が高められる。
【０１９２】
居住者の固有の属性、特性、又は特徴も同様に、安全なデータベース又は他の安全なデータ構成に記憶されうる。あるいは好適ではないがスマートカードやカードキーにも記憶されうる。居住者の固有の属性、特性、又は特徴は、居住者のニーズ又は所望を合わせた居住環境のカスタマイズを可能にする情報を明示しうる。例えば、居住者の固有の属性、特性、又は特徴は、例えば１日周期のうち異なる時間の気温又は室温などの１つ以上の気温を特定してよい。また、例えば、居住者の固有の属性、特性、又は特徴は、例えば１日周期のうち異なる時間の相対湿度などの１つ以上の相対空気湿度を特定してよい。別の例として、居住者の固有の属性、特性、又は特徴は、居住者が移動元の１つ以上の場所を特定してよい。それらは、時差ぼけ、ＳＡＤなどを調整するために例えば照明の調節を可能にする。更なる例として、居住者の固有の属性、特性、及び特徴は、１つ以上の症候、病気、又は体調を特定してよく、それを緩和又は治療するために環境特性が調節されうる。それらは、照明の提供（例えば、異なる強度及び／又は波長の定期的提供）によって対処されうる症候、病気、又は体調を含んでよい。これは、例えば様々な皮膚の不調や問題などの、湿度の提供によって対処されうる症候、病気、又は体調を含んでよい。これらの症候、病気、又は体調は、氏名又は割り当てられた識別子によって明示されうる。上記に代えて又は上記に加えて、所望の環境特性を提供するために特定の命令又はパターンが記憶されうる。それらは、個人のプライバシーを保つのに役立ち、例えば電子医療記録などの健康関連情報の保護、取扱い、及び管理に関連する取り締まりの問題（例えば、ＨＩＰＡＡ）に対処しうる。従って、例えば、太陽日中の様々な時間の波長及び強度を明示する照明のパターンが記録されうる。気温、相対湿度、音、香り、及び他の周囲環境特性を明示するパターンが同様に、太陽日中の様々な時間について記録されうる。これらのパターンは、互いに同期しうる。従って、例えば、光が徐々に強度を増し、同様に癒し効果のある音も大きくなる段階的な起床期間を生成するために、照明及び音響が同期されうる。光の波長は同様に、この起床期間中に段階的に変化しうる。また、例えば、光が徐々に強度を弱め、癒し効果のある音も同様に小さくなる睡眠時間前の段階的なリラックス期間を生成するために、照明及び音響が同期されうる。光の波長は同様に、このリラックス期間中に段階的に変化しうる。
【０１９３】
任意選択的に、３１２において、施設従業員、居住者、又は環境制御システム２００やその一部は、環境特性、属性、又は快適性を提供するために実行するプログラムを選択する。それらは、例えば、以前に指定又は特定されたプログラムがない場合に行われうる。あるいは、それらは、複数のプログラムが所与の居住者のための仕様に指定されている場合に行われうる。上述したように、１つ以上のプログラムは、例えばスマートカード又はキーカード１１４に記憶されるか、又は非一時的コンピュータ又はプロセッサ読取可能媒体２４６内のデータベースに記憶されるなどのように、各々が見込む居住者について記憶されうる。これらのプログラム又はプログラムを表す識別子は、例えば１つ以上の入力装置、パネル、又はキオスク２８３，２８４を介して施設従業員又は居住者が選択するために提示されうる。上記に加えて、あるいは上記に代えて、制御システム２０２（図２）は、例えば居住者に関する特定の基準に基づいてプログラムを選択してよい。例えば、制御サブシステム２０２は（図２）は、居住者が、居住環境１００（図１）の所在地における自然光周期と著しく異なる自然光周期を有する場所から最近移動してきたことを決定しうる。従って制御サブシステム２０２（図１）は、例えば時差ぼけ又はＳＡＤなどの、移動による自然照明の変化に関連する症候又は病気を緩和する、あるいはそれに対処する特定の照明又は他の特性を提供するプログラムを選択しうる。
【０１９４】
出発地と到着地との膨大な数のペアに関する自然光の総量及び／又は自然光のスペクトル構成（例えば、波長）における変化を調整するパターンのセットが定義されうる。この場合出発地は、居住者が出発した場所（例えば、通常は居住者の住居）であり、到着地は、居住者が移動してきた場所（例えば、ホテル、モーテル、スパ）である。これらのパターンは、例えば、世界中の２４の時刻帯（例えば、経度による地帯）の各々を他の２３の時刻帯に関連付けうる。これらのパターンは、世界中の様々な緯度又は緯度による地帯に関連しうる。例えば、パターンは、赤道の北側及び南側の（例えば、緯度が赤道より５度高い）緯度の地帯の各ペアについて確立されうる。従って、各緯度の地帯は、それぞれのパターンによって他の緯度のゾーンの各々に関連付けられうる。パターンは、時刻帯の変化及び太陽日の長さの変化の両方を同時に調整するために地理的位置（例えば、経度や時刻帯、及び緯度）の様々なペアについて同様に定義されうる。居住者のほとんどは比較的少数の地理的位置から到着するので、また、到着地の地理的位置はあらゆる所与の居住環境１００（図１）に関して大方既に分かっているので、可能な地理的位置のペア全てについてパターンが確率されるわけではない。同様に、例えば時刻帯による経度のグループ化及び／又は緯度の（例えば、５度ごとの）地帯のグループ化も、記憶されるパターンの総数は限られる。パターンは、記憶されていると説明されたが、一部の実施形態において、地理的位置を入力として用いる１つ以上のアルゴリズム又は数式を介して動的に又は「オン・ザ・フライ」で生成されてもよい。
【０１９５】
任意選択的に、３１４において、施設従業員は、多くのホテル、モーテル、スパ、又は病院で実行されるものと同様又は同一の方式で、居住環境１００（図１）の使用に際して１人又は複数人の居住者をチェックイン又は登録してよい。３１０での居住者又は宿泊客の身元確認及び／又は３１２でのプログラムの選択は、このチェック又は登録の一部として実行されうる。あるいは、３１０での居住者又は宿泊客の身元確認及び／又は３１２でのプログラムの選択は、例えば居住環境１００（図１）への宿泊予約の一部として、チェックイン又は登録３１４の前に実行されうる。
【０１９６】
３１６において、制御サブシステム２０２（図２）は、様々なサブシステム２０２〜２１４に居住環境１００（図１）における環境特性又は快適性を提供させるために選択されたプログラムを実行する。
【０１９７】
３１８において、制御サブシステム２０２又は環境制御システム２００の一部は、様々な受動部品及び能動部品を含む居住空間の操作及び便益を説明する説明資料を提示する。それらは、ユーザがどのように環境制御システム２００を操作するか、あるいはそれとインタラクトするかを説明する、例えば動画形式による手引きの提示を含んでよい。
【０１９８】
３２０において、制御サブシステム２０２又は環境制御システム２００の一部は時々、操作パラメータのいずれかに変更が生じていないかを判定する。変更は、例えば、居住環境１００（図１）内で感知又は検出された条件を介して、居住者及び／又は施設従業員によって行われうる。例えば、居住者又は施設従業員は、気温、相対湿度、照明、香り散布、又は他のパラメータを変更しうる。変更は、一時的すなわち一度きりの変更であっても、別の機会に用いるため又は別の居住環境１００（図１）で用いるために記憶される持続的な変更であってもよい。従って、制御サブシステム２０２又は環境制御システム２００の一部は、新たなプログラムを生成しても、あるいは、新たなパラメータや修正されたパラメータを伴うことによって事実上新たなプログラムを構成する既存のプログラムを実行してよい。
【０１９９】
変更があった場合、３２２において、制御サブシステム２０２又は環境制御システム２００の一部は、環境特性を提供するために新たなプログラム又は新たなパラメータを伴うプログラムを実行する。新たなプログラムの実行は、様々なサブシステム２０２〜２１４に、新たなパラメータに従って居住環境１００（図１）における環境特性又は快適性を提供させる。
【０２００】
任意選択的に、３２４において、制御サブシステム２０２又は環境制御システム２００の一部は、居住環境１００（図１）に対する居住者からの応答を収集する。特に、制御システム２０２又は環境制御システム２００の一部は、彼らの全体の健康及び／又はウェルネス又はウェルネス感を助長する効果に対する居住者の客観的及び／又は主観的印象に関する意見調査及び／又は質問を提供しうる。それらは、環境制御システム２００の実際の操作、及び環境制御システム２００とのインタラクションやその使用感に関する質問も含んでよい。調査や質問は、居住者の経験、特に幸福感を評価するための尺度を提供しうる。
【０２０１】
任意選択的に、３２６において、施設従業員は、居住者又は宿泊客をチェックアウトする。施設従業員は、居住環境１００（図１）の快適性に対する居住者又は宿泊客の幸福感及び経験に関して積極的に質問することが望ましい。この時、施設従業員は、居住環境１００（図１）を次に訪れ使用する居住者あるいは例えば別の場所にある別の居住環境１００（図１）により良い経験を提供するために、パターンを更新し、新たなパターンを記憶させ、及び／又は特定の居住者や宿泊客に関する古いパターンを削除してよい。
【０２０２】
高レベルの方法３００は、次に再開するまで３２８で終了しても、あるいは、繰り返されて続行されてもよい。あるいは、高レベルの方法３００は、他の方法又はプロセスと同時に実行されてもよい。
【０２０３】
図４は、図３に示す方法３００の少なくとも一部を実行する際に役立ちうる、例示された一実施形態に係る、照明を提供するための居住環境向上システムの１つ以上の構成部品を作動させる低レベルの方法４００を示す。
【０２０４】
低レベルの方法４００は、４０２において開始する。方法４００は、例えば、継続的に実行されるか、あるいは例えば毎分、毎時間、毎日、毎週、毎月など周期ベースで開始されてよい。上記に代えて又は上記に加えて、方法４００又はその一部は、例えば居住環境１００の居住者の検出に応答して、又は施設（例えば、ホテル、スパ、リゾート、病院）の宿泊客や運営者による要求に応答して、オンデマンドで開始してよい。
【０２０５】
任意選択的に、４０４において、センサ又は検出器は、閉鎖空間に人が入居したかを感知又は検出する。センサは例えば、閉鎖空間に人が入居したかを示す信号を制御サブシステムに提供してよい。
【０２０６】
上記に加えて、あるいは上記に代えて、スマート睡眠システムのセンサ（例えば、ＥＫＧ電極、体温センサ又は熱電対、心拍数センサ、発汗センサ）は、様々な睡眠パラメータ、例えば睡眠相を測定する装置やベッドからの情報を送信してよい。自動制御システムは、検出又は測定された睡眠パラメータに基づいて、室内に影響を与える１つ以上の照明システム、音響システム、及びＨＶＡＣシステムを制御してよい。
【０２０７】
以下の動作のうちの１つ以上は、信号に基づいて選択的に実行されうる。例えば、居住環境に誰も入居していない時、能動照明を提供しないことは、エネルギー効率を良くしうる。
【０２０８】
４０６において、制御サブシステムは、例えば１回目の入力を受け取る。入力は、例えば閉鎖空間に提供される照明に関する設定などの複数の設定のいずれかを示してよい。入力は、閉鎖空間の中や閉鎖空間の入口に配置された少なくとも１つのユーザ駆動可能入力装置を介して受け取られうる。上記に加えて、あるいは上記に代えて、入力は、閉鎖空間から離れて配置された、例えば、受付、コンシェルジュ、建物管理者、又は建物に関連する他の中央所在地に配置された少なくとも１つのユーザ駆動可能入力装置を介して受け取られうる。
【０２０９】
４０８において、制御サブシステムは、受け取った入力が第１の設定の選択を示すかを判定する。例えば、第１の設定は、人間の自然の日周リズム又は周期と一致し、それを確立する設定又はパターンである日周設定であってよい。それらは例えば、地球上のどこかにおける太陽日の自然な日光及び闇の強度又は色彩構成を模倣しうる。
【０２１０】
第１の入力が第１の設定を示すと判定したことに応じて、４１０で、制御サブシステムは、人工照明及び自然照明の組み合わせが第１のパターンに従って第１の期間にわたり変化するように、照明源の少なくとも一部に、複数のレベル及び複数の波長で人工照明を発光させると共に、少なくとも１つのアクチュエータに、外部照明源から１つ以上の窓を介して閉鎖空間内に受ける自然照明の少なくともレベルを制御させる信号を提供する。第１のパターンは例えば、日周パターン（例えば、人間の自然な日周リズム又は周期と一致し、それを確立するパターン）であってよい。
【０２１１】
４１２において、制御サブシステムは、受け取った入力が第２の設定の選択を示すかを判定する。第２の設定は、人間の自然な日周リズム又は周期と一致し、それを確立する照明の設定又はパターン以外の任意の照明の設定又はパターンである第１の非日周設定であってよい。
【０２１２】
４１４において、第２の入力に応じて、制御サブシステムは、人工照明と自然照明との組み合わせが非日周パターン（例えば、人間の自然な日周リズム又は周期と一致し、それを確立するパターン以外の任意のパターン）に従って第２の期間にわたり変化しないように、照明源に、複数のレベル及び複数の波長で人工照明を発光させると共に、少なくとも１つのアクチュエータに、外部照明源から１つ以上の窓を介して閉鎖空間内に受ける自然照明の少なくともレベルを制御させる信号を提供する。例えば、第２の入力に応じて、制御サブシステムは、人工照明と自然光との組み合わせが第２の期間にわたり一定に保たれるように、照明源及びアクチュエータに信号を提供してよい。
【０２１３】
４１６において、制御サブシステムは、受け取った入力が、第３の時点で睡眠時設定である第２の非日周設定の選択を示すかを判定する。
【０２１４】
４１８において、第３の入力に応じて、制御サブシステムは、閉鎖空間内の床付近の照明源のサブセットに、少なくとも１つの経路において低い照明レベルで人工照明を発光させる信号を提供する。信号は更に、少なくとも１つのアクチュエータに、１つ以上の窓を介して閉鎖空間内に自然照明を受けることを防止させうる。
【０２１５】
４２０において、制御サブシステムは、受け取った入力が移動調節設定の選択を示すかを判定する。
【０２１６】
４２２において、第４の入力に応じて、制御サブシステムは、居住者による移動に起因する日周リズムの変化を調整するために、閉鎖空間の居住者の移動元の地理的位置に少なくとも部分的に基づいて移動調節照明パターンを決定する。４２４で、再び第４の入力に応じて、制御サブシステムは、人工照明と自然光との組み合わせが、決定された移動調節照明パターンを閉鎖空間内で達成するように、照明源に、前記レベル及び波長で人工照明を発光させると共に、少なくとも１つのアクチュエータに、１つ以上の窓を介して閉鎖空間内に受ける自然光の少なくともレベルを制御させる信号を提供する。
【０２１７】
４２６において、制御サブシステムは、受け取った入力が、第４の時点で光療法設定の選択を示すかを判定する。
【０２１８】
４２８において、光の設定を示す第４の入力に応じて、人工照明と自然照明との組み合わせが、所定の光療法照明パターンを治療期間にわたって閉鎖空間内で達成するように、照明源に、前記レベル及び波長で人工照明を発光させると共に、少なくとも１つのアクチュエータに、１つ以上の窓を介して閉鎖空間内に受ける自然照明の少なくともレベルを制御させる信号が制御サブシステムによって提供される。
【０２１９】
方法４００は、矢印４３０によって示すように繰り返しされよい。あるいは方法４００は、再び呼び出されるか再開されるまで終了してよい。
【０２２０】
図５は、図４に示す方法４００の少なくとも一部を実行する際に役立ちうる、例示された一実施形態に係る、エレクトロクロマティックペインを用いて居住環境で受ける自然光の量を調節するための居住環境向上システムの１つ以上の構成部品を作動させる低レベルの方法５００を示す。
【０２２１】
５０２において、制御サブシステムは、エレクトロクロマティックペインを通過する光を調節するためにエレクトロクロマティックペインに駆動的に連結されたアクチュエータ（例えば、電圧又は電流供給源）を制御する信号を提供する。例えば、信号は、ドレープ／シェード／カーテン（総称して「窓遮蔽物」と呼ぶ）を、窓を介して居住環境１００又はその一部への自然光の入光を完全に又はほぼ遮断するための完全に閉じた位置に動かしてよい。あるいは信号は、ドレープ／シェード／カーテンを、窓を介して居住環境１００又はその一部へ入る自然光の量を最大にするための完全に開いた位置に動かしてよい。信号は、ドレープ／シェード／カーテンを、完全に閉じた位置と完全に開いた位置との間の様々な中間の位置に動かしてよく、それら中間の位置は、窓を介して居住環境１００又はその一部に入る自然光をそれぞれの量にする。
【０２２２】
周囲環境における自然光の強度は一日を通して、また日によって変化するので、制御は、１つ以上の光センサ又は検出器からの１つの情報に少なくとも部分的に基づきうる。光センサ又は検出器は、室外周囲環境における自然光を感知又は検出し、それらの強度又はスペクトルパワー分布を示す信号を制御サブシステムに提供してよい。上記に加えて、あるいは上記に代えて、光センサ又は検出器は、居住環境１００又はその一部における光を感知又は検出し、それらの強度又はスペクトルパワー分布を示す信号を制御サブシステムに提供してよい。
【０２２３】
図６は、図４に示す方法４００の少なくとも一部を実行する際に役立ちうる、例示された一実施形態に係る、ドレープ、シェード、カーテン、又は他の窓遮蔽物を用いて居住環境で受ける自然光の量を調節するための居住環境向上システムの１つ以上の構成部品を作動させる低レベルの方法６００を示す。
【０２２４】
６０２において、制御サブシステムは、窓に対してドレープ／シェード／カーテンを動かすための伝動装置を介して駆動的に連結されたアクチュエータ（例えば、電気モータ、ソレノイド）を制御する信号を提供する。例えば信号は、ドレープ／シェード／カーテンを、窓を介して居住環境１００又はその一部への自然光の入光を完全に又はほぼ遮断する完全に閉じた位置に動かしてよい。あるいは信号は、ドレープ／シェード／カーテンを、窓を介して居住環境１００又はその一部に入る自然光の量を最大にする完全に開いた位置に動かしてよい。信号は、ドレープ／シェード／カーテンを、完全に閉じた位置と完全に開いた位置との間の様々な中間の位置に動かしてよく、それら中間の位置は、窓を介して居住環境１００又はその一部に入る自然光をそれぞれの量にする。
【０２２５】
周囲環境における自然光の強度は一日を通して、また日によって変化するので、制御は、１つ以上の光センサ又は検出器からの１つの情報に少なくとも部分的に基づきうる。光センサ又は検出器は、室外周囲環境における自然光を感知又は検出し、それらの強度を示す信号を制御サブシステムに提供してよい。上記に加えて、あるいは上記に代えて、光センサ又は検出器は、居住環境１００又はその一部における光を感知又は検出し、それらの強度を示す信号を制御サブシステムに提供してよい。
【０２２６】
図７は、図３に示す方法３００の少なくとも一部を実行する際に役立ちうる、例示された一実施形態に係る、居住環境１００の暖房、換気、及び冷房を提供するための居住環境向上システムの１つ以上の構成部品を作動させる低レベルの方法７００を示す。通常、方法７００に示す動作のうち少数のみが任意のシングルパスで実行される。例えば、空気の冷却は、空気が暖房されている時にはめったに実行されず、除湿は、加湿が実行されている時にはめったに実行されない。従って、方法７００は、実行されうる動作の多くの包括的な図示を提供する。
【０２２７】
低レベルの方法７００は、７０２において開始する。方法７００は、例えば、継続的に実行されるか、あるいは数分ごと、毎時間、毎日などの周期ベースで開始されてよい。上記に代えて又は上記に加えて、方法７００は、例えばサーモスタットの調節、ユーザ入力装置への入力、あるいは居住環境１００又はその一部における居住者の存在の感知又は検出に応じて、オンデマンドで開始してよい。
【０２２８】
７０４において、制御サブシステムは、温度又は湿度のセンサ又は検出器のうちの少なくとも１つからの信号を受信し、信号は、居住環境１００又はその一部において感知又は検出された温度及び／又は湿度を示す。信号は、例えば一定期間にわたる日周パターンに少なくとも部分的に基づいて居住環境１００内の空気の温度及び／又は湿度のうちの少なくとも１つを調節するために用いられうる。
【０２２９】
７０６で、制御サブシステムは、空気を処理させる信号を提供する。信号は、例えば、１つ以上のファン又は送風機をオンにし、オフにし、及び／又はその速度を調節しうる。信号は、上記に加えて、あるいは上記に代えて、通気孔、ダンパ、弁、又はマニホルドの位置を調節してよい。信号によって、空気が循環されうる、あるいは１つ以上の機械（ＨＥＰＡ）空気フィルタを介するフィルタリングによって空気が処理されうる。信号によって、空気が循環されうる、あるいは信号に従って電圧が供給される１つ以上の静電気粒子空気フィルタを介するフィルタリングによって空気が処理されうる。信号によって、空気が循環されうる、あるいは紫外線空気殺菌剤によって紫外線照明を当てることによって空気が処理されうる。
【０２３０】
７０８において、制御サブシステムは、空気を加熱させる制御信号を提供する。例えば制御システムは、空気を暖めるための暖房装置（例えば、強制空気暖房炉、蒸気放熱器）へ信号を提供してよい。また例えば、制御サブシステムは、居住環境１００又はその一部に暖かい空気を送り込む通気孔、ダンパ、弁、又はマニホルドの開口部を開くか、閉じるか、又は調節する信号を提供してよい。
【０２３１】
７１０において、制御サブシステムは、空気を冷却させる制御信号を提供する。例えば制御サブシステムは、空気を冷却（空気から熱を除去）するための冷房装置（例えば、エアコンディショナ、スワンプクーラ）へ信号を提供してよい。また例えば、制御サブシステムは、居住環境１００又はその一部に冷たい空気を送り込む通気孔、ダンパ、弁、又はマニホルドの開口部を開くか、閉じるか、又は調節する信号を提供してよい。
【０２３２】
７１２において、制御サブシステムは、空気を加湿させる制御信号を提供する。例えば制御サブシステムは、空気を加湿する（すなわち、湿気を加える）ための加湿器へ信号を提供してよい。また例えば、制御サブシステムは、居住環境１００又はその一部に加湿空気を送り込む通気孔、ダンパ、弁、又はマニホルドの開口部を開くか、閉じるか、又は調節する
信号を提供してよい。
【０２３３】
７１４において、制御サブシステムは、空気を除湿させる制御信号を提供する。例えば制御サブシステムは、空気を除湿（すなわち、空気から湿気を除去する）ための除湿器へ信号を提供してよい。また例えば、制御サブシステムは、居住環境１００又はその一部に除湿空気を送り込む通気孔、ダンパ、弁、又はマニホルドの開口部を開くか、閉じるか、又は調節する信号を提供してよい。
【０２３４】
７１６において、制御サブシステムは、１つ以上の通気孔、ダンパ、弁、又はマニホルドを開くか、閉じるか、あるいは調節する。様々な通気孔、ダンパ、弁、又はマニホルドの開口部は、新鮮な空気、調整された空気、及び／又は香りやアロマを居住環境１００又はその一部に提供しうる。通気孔、ダンパ、弁、又はマニホルドは、例えば電気モータやソレノイド、あるいは形状記憶合金製アクチュエータ、ばね搭載アクチュエータ、及び／又は磁気アクチュエータなどの１つ以上のアクチュエータによって開かれうる。
【０２３５】
７１８において、制御サブシステムは、空気を移動又は循環させる制御信号を提供する。例えば制御サブシステムは、空気を移動又は循環させるための１つ以上のファン又は送風機へ信号を提供してよい。信号は、ファン又は送風機をオンにし、オフにし、及び／又は速度調節しうる。
【０２３６】
７２０において、制御サブシステムは、空気を圧縮させる制御信号を提供する。例えば制御サブシステムは、例えば湿気を除去するため又は熱を除去する一部として空気を圧縮するための１つ以上のコンプレッサへ信号を提供してよい。信号は、コンプレッサをオンにし、オフにし、あるいは速度調節しうる。
【０２３７】
低レベルの方法７００は、再び呼び出されるまで７２２で終了しても、あるいは継続的に繰り返されてもよい。あるいは低レベルの方法７００は、例えばマルチスレッドプロセッサシステムの複数のスレッドの１つとして、他の方法又はプロセスと同時に実行されてもよい。
【０２３８】
図８は、図３に示す方法３００の少なくとも一部を実行する際に役立ちうる、１つの例示された実施形態に係る、居住環境に香り又はアロマを添加するための居住環境向上システムの１つ以上の構成部品を作動する低レベルの方法８００を示す。
【０２３９】
低レベルの方法８００は、８０２において開始する。方法８００は、例えば、数分ごと、毎時間、又は毎日などの周期ベースで開始されてよい。上記に代えて又は上記に加えて、方法８００は、例えば施設（例えば、ホテル、スパ）の宿泊客又は運営者による要求に応じてオンデマンドで開始してよい。
【０２４０】
８０４において、制御サブシステムは、居住環境１００又はその一部に拡散される香りを示す入力を受け取る。入力は、室内制御パネル、遠隔制御パネル、携帯装置（例えば、スマートフォン、タブレットコンピュータ、又はパーソナルデジタルアシスタント）から生じるか、あるいは制御サブシステムによるプログラムの実行の一部として発生しうる。
【０２４１】
８０６において、制御サブシステムは、居住環境１００又はその一部の空気中に１つ以上の香りを添加させる信号を提供する。香りは、１つ以上の貯蔵器から提供されうる。信号は、通気孔、ダンパ、弁、又はマニホルドを開かせ、あるいは閉じさせ、居住環境１００又はその一部に香りを添加しうる。信号は、上記に加えて、あるいは上記に代えて、１つ以上のファン又は送風機によって居住環境１００又はその一部に香りを提供させるか、あるいはその中で拡散又は循環させてよい。上記に加えて、あるいは上記に代えて、信号は、暖房装置に芳香材を加熱させ、例えば材料を気化させ、居住環境１００又はその一部の中で循環する空気に香りを拡散させうる。
【０２４２】
制御サブシステムは、所定のスケジュールに従って又は基づいて香りを取り込ませる信号を提供してよい。上記に代えて又は上記に加えて、制御サブシステムは、例えばユーザ入力に応じてオンデマンドで香りを取り込ませる信号を提供してよい。
【０２４３】
低レベルの方法８００は、再び呼び出されるまで８０８で終了しても、あるいは継続的に繰り返されてもよい。あるいは低レベルの方法８００は、例えばマルチスレッドプロセッサシステムの複数のスレッドのうちの１つとして、他の方法又はプロセスと同時に実行されてもよい。
【０２４４】
図９は、図３に示す方法３００の少なくとも一部を実行する際に役立ちうる、例示された一実施形態に係る、居住環境で用いる水を処理するための居住環境向上システムの１つ以上の構成部品を作動する低レベルの方法９００を示す。
【０２４５】
低レベルの方法９００は、９０２において開始する。方法９００は、例えば、継続的に実行されるか、あるいは例えば数分ごと、毎時間、又は毎日などの周期ベースで開始されてよい。上記に代えて又は上記に加えて、方法９００は、例えば居住環境１００の居住者による水の使用に応じてオンデマンドで開始してよい。
【０２４６】
９０４において、給水サブシステムの１つ以上の水処理部品は、居住環境１００の蛇口又はシャワーヘッドへの水の供給を処理する。水の処理は例えば、１つ以上の沈殿物又は粗粒子フィルタを用いる水の濾過を備えてよい。水の処理は、上記に加えて、あるいは上記に代えて、例えば１つ以上の活性炭フィルタ及び／又は光触媒基材又は基盤を用いる水の微細な濾過を備えてよい。水の処理は、上記に加えて、あるいは上記に代えて、水を殺菌するために十分な時間、十分な強度の紫外線照明を水に当てることを含んでよい。
【０２４７】
９０６において、給水サブシステムの１つ以上の水処理部品は、水の少なくとも一部にビタミンＣを添加する。例えば、１つ以上の弁又はマニホルドが、ビタミンＣの貯蔵器から、居住環境１００のシャワーヘッドに供給される水の中へビタミンＣを放出しうる。
【０２４８】
低レベルの方法９００は、呼び出されるまで９０８で終了しても、あるいは継続的に繰り返されてもよい。あるいは低レベルの方法９００は、例えばマルチスレッドプロセッサシステムの複数のスレッドのうちの１つとして、他の方法又はプロセスと同時に実行されてもよい。
【０２４９】
図１０は、図３に示す方法３００の少なくとも一部を実行する際に役立ちうる、例示された一実施形態に係る、居住環境の音響の態様を調節するための居住環境向上システムの１つ以上の構成部品を作動する低レベルの方法１０００を示す。
【０２５０】
方法１０００は、例えば、数分ごと、毎時間、又は毎日などの周期ベースで開始されてよい。上記に代えて又は上記に加えて、方法１０００は、例えば施設（例えば、ホテル、スパ）の客又は運営者による要求に応じてオンデマンドで開始してよい。上記に代えて又は上記に加えて、方法１０００は、例えば環境の他のいくつかの態様と同期している、制御システムによって実行されるプログラムからの呼出し又は信号に応じて開始してよい。例えば、音響は、光のレベル及び／又はスペクトルと同期され、目覚まし時計の設定によってトリガされうる。
【０２５１】
上記に加えて、あるいは上記に代えて、これらの目覚まし時計、照明、及び音響システムは、ベッドに含まれるか又はベッドから分離してよい１つ以上のセンサの一部として存在する睡眠監視システムと同期されてもよい。
【０２５２】
特に、制御サブシステムは、１００４において、少なくとも１つのスピーカに、照明源によって発光される照明のレベルの変化と同期して変化する音響レベルで閉鎖空間内に音を再生させる信号を提供する。
【０２５３】
低レベルの方法１０００は、再び呼び出されるまで終了しても、あるいは継続的に繰り返されてもよい。あるいは方法１０００は、例えばマルチスレッドプロセッサシステムの複数のスレッドのうちの１つとして、他の方法又はプロセスと同時に実行されてもよい。
変更処置
【０２５４】
要約に記載された説明を含む、例示された実施形態の上記説明は、網羅的であること、又は開示された詳細な形態に実施形態を限定することは意図されない。特定の実施形態及び例が例示目的のために本明細書で説明されたが、当業者によって理解されるように、様々な同等の価値を持つ変形例が、本開示の主旨及び範囲から逸脱することなくなされうる。様々な実施形態に関して本明細書において提供される様々な教示は、必ずしも一般に上述された典型的なシステムではない他のシステムにも適用することができる。
【０２５５】
制御サブシステム、又は例えばパーソナルコンピュータなどの他のプロセッサベースのシステムは、所与の空間の「ウェルネス」を評価するようにプログラムされうる。システムは、快適性の種類及び有効性を含む、環境空間に提供される様々な快適性を査定してよい。例えばシステムは、特定の種類の快適性及び／又は有効性にポイントを割り当てうる。例えばポイントは、能動照明サブシステムを有するように割り当てられ、その追加のポイントは、日周パターンに良い影響を与える能動照明に関する。また例えば、ポイントは、空気処理に割り当てられ、ポイントの合計が空気処理の有効性に基づいている。また例えば、ポイントは、水処理に割り当てられ、ポイントの合計が水処理の有効性に基づいている。ポイントは、可能なカテゴリ（例えば、照明、空気、水、音響、ＶＯＣ浸出素材の使用の低減、吸音材や消音材の使用、居住者を保護するための衝撃を緩和又は吸収する材料の使用）の各々において必要である。あるいはポイントは、カテゴリのサブセットについて必要である。上記に加えて、あるいは上記に代えて、最小点数のポイントが、複数のカテゴリの各々において必要であるか、あるいは所与のランク又はウェルネス等級を取得するために最小累積スコアが必要である。ランク又はウェルネス等級は、認定され、広告のために用いられうる。ウェルネスは、時折、再査定されうる。
【０２５６】
ウェルネスは、自己報告スコア、あるいは評論家や研究者によって与えられたスコアに基づいて査定されうる。このスコアは、例えばキーボード、キーパッド、ＧＵＩに付随するタッチパネルなどの様々なユーザ入力装置を介して報告されうる。スコアは例えば、ウェブページのユーザインタフェースを介して入力されるか、あるいは評価のためのシステムに通信されうる。システムは、所与の施設の年ごとの比較、又は異なる施設間での比較を実行しうる。評価は、複数のカテゴリ又は経路の各々における所定のセットのウェルネス規格に対して比較あるいは評点されうる。
【０２５７】
ウェルネススコアは、自己報告に依存する必要はなく、環境センサ及び居住者ベースの生体測定から推測されうる。例えば、構築環境内の装置、家具、又は他の生体読取装置から受動的又は能動的に収集したデータは、個人のウェルネススコアに寄与し、照明、音響、ＨＶＡＣ、又は上述したその他のカテゴリを含む構築環境における要素を直接的又は間接的に制御するために用いることができる。関連する生体測定は、心拍数、心拍数の変化、睡眠相、睡眠の長さ、呼吸速度、一日ごとの歩数、体重、又はＢＭＩなどを含むが、それらに限定されない、あらゆる健康又はウェルネス関連の測定を含んでよい。
【０２５８】
制御システムは、ダッシュボードのディスプレイに、居住環境１００の居住者及び／又は居住環境１００（例えば、部屋又はスイート）が存在する施設（例えば、ホテル）の従業員に向けて環境情報の簡潔な表示を提供させうる。ダッシュボードは更に、助言、提案、質問事項、提案された設定、介入、活動、健康／ウェルネス学習情報などを提示してよい。ダッシュボードは、ウェブサイトやウェブページを介して提示されるか、あるいは「クラウドに」記憶されうる。ダッシュボードは、ウェブページや専用アプリケーションなどの、携帯装置（例えば、スマートフォン、タブレットコンピュータ）を含むあらゆる種類のプロセッサベースの装置を介してアクセスすることができる。そのような装置は、情報に基づいて作動する、及び／又は制御サブシステムを介して居住環境の様々な環境態様を制御するトランスデューサを含みうる。例えばウェブページ又はアプリケーションは、照明サブシステム及び／又は他の環境システム及び制御装置によって携帯装置に通信可能に統合されうる。
【０２５９】
例えば、居住環境は、受動部品又は能動部品のうちの１つ以上のあらゆる組み合わせを備えてよい。いくつかの部品は、例示されたもの以外のサブシステムの一部として存在しうるか、あるいは制御されうる。
【０２６０】
また例えば、様々な方法及び／又はアルゴリズムが説明されたが、それらの方法及び／又はアルゴリズムの一部又は全部は、説明された動作やステップの一部を省き、追加の動作やステップを含み、動作やステップを組み合わせ、及び／又は説明された順序と異なる順序で一部の動作やステップを実行してよい。いくつかの方法又はアルゴリズムは、ソフトウェアルーチンで実行されうる。いくつかのソフトウェアルーチンは、他のソフトウェアルーチンから呼び出されうる。ソフトウェアルーチンは、連続的に又は同時に実行してよく、マルチスレッド手法を用いてよい。
【０２６１】
上述した詳細な説明は、ブロック図、概略図、及び実例を用いて装置及び／又はプロセスの様々な実施形態を明らかにしてきた。そのようなブロック図、概略図、及び実例が１つ以上の機能及び／又は動作を含む限り、そのようなブロック図、フローチャート、又は実例の各機能及び／動作は、個別に及び／又は集合的に、広範囲のハードウェア、ソフトウェア、ファームウェア、又はそれらのあらゆる仮想的組み合わせによって実現されうることが、当業者によって理解されるであろう。一実施形態において、本願の主題事項は、特定用途向け集積回路（ＡＳＩＣ）又はプログラマブルゲートアレイ又はプログラマブル論理回路（ＰＬＣ）によって実現されうる。しかし当業者は、本明細書に開示された実施形態が、全体又は一部において、１つ以上のコンピュータで実行する１つ以上のコンピュータプログラムとして（例えば、１つ以上のコンピュータシステムで実行する１つ以上のプログラムとして）、１つ以上のコントローラ（例えば、マイクロコントローラ）で実行する１つ以上のプログラムとして、１つ以上のプロセッサ（例えば、マイクロプロセッサ）で実行する１つ以上のプログラムとして、ファームウェアとして、又はそれらのあらゆる仮想的組み合わせとして、標準的な集積回路で同等に実現されうること、また、回路の設計及び／又はソフトウェア及び／又はファームウェアに関する符号の書入れは、本開示の観点から当業者の技術範囲に十分収まることを理解するであろう。
【０２６２】
更に、当業者は、本明細書で教示されたメカニズムが様々な形式のプログラム製品として流通することが可能であること、また、例示的な実施形態は、実際に流通させるために用いられる信号ベアリング媒体の特定の種類に関わらず等しく適応することを理解するであろう。非一時的信号ベアリング媒体は、ポータブルディスク及びメモリなどの記録可能型媒体、ハードディスクドライブ、ＣＤ／ＤＶＤ  ＲＯＭ、デジタルテープ、コンピュータメモリ、及び他の非一時的コンピュータ読取可能記憶媒体を含むが、それらに限定はされない。
【０２６３】
２０１２年８月２８日出願の米国特許仮出願第６１／６９４１２５号は、参照によってその全体が本願に組み込まれる。上述された様々な実施形態は、更なる実施形態を提供するために併用することができる。実施形態の態様は、また別の実施形態を生み出すために望まれる又は必要である場合、修正することができる。
【０２６４】
これらの変更及び他の変更は、上述した説明の観点から、実施形態に対して行われうる。概して、以下の特許請求の範囲において、用いられる用語は、本明細書及び特許請求の範囲に開示された特定の実施形態に特許請求の範囲を限定するように解釈されてはならず、それらの請求項が与えられた全ての範囲の均等物と一致する可能な実施形態の全てを含むと解釈されなければならない。従って、特許請求の範囲は、本開示によって限定されない。
【０２６５】
２０１２年８月２８日出願の米国特許出願第６１／６９４１２５号は、参照によりその全体が本明細書に組み込まれる。
【図１】
2015534701.tif 000003
【図２】
2015534701.tif 000004
【図３】
2015534701.tif 000005
【図４】
2015534701.tif 000006
【図５】
2015534701.tif 000007
【図６】
2015534701.tif 000008
【図７】
2015534701.tif 000009
【図８】
2015534701.tif 000010
【図９】
2015534701.tif 000011
【図１０】
2015534701.tif 000012
【国際調査報告】
2015534701.tif 000013
2015534701.tif 000014
2015534701.tif 000015